(57)【要約】【課題】構造やフォーマットの異なる複数の光記録媒体の利用が可能な装置において、用いている光記録媒体についての情報を正確に、かつ、分かりやすくユーザに通知できるようにする。【解決手段】装填されたＤＶＤのリードインエリアを含み、それよりもない周側に位置する種々の情報をＤＶＤドライブ２において読み取り、それらの情報に基づいて、装填されたＤＶＤの構造や記録フォーマットに関する情報を取得し、これらの情報を情報処理部１のシステム制御部１８が、ビデオ／オーディオＩ／Ｆ部１３を制御して、ＬＣＤ１２に視認性よく表示することにより、ユーザに提供する。【選択図】        図１
2004273037.tif 000002
【特許請求の範囲】
【請求項１】
光記録媒体から得られる情報に基づいて、前記光記録媒体の種類を判別する種類判別手段と、
前記種類判別手段において、前記光記録媒体が追記型、あるいは、書き換え型の光記録媒体であると判別された場合に、当該光記録媒体を読み出し専用光記録媒体とするための所定の処理が必要なフォーマットでデータが記録され、既に前記所定の処理されているか否かを検出する記録状態検出手段と、
光記録媒体から得られる情報に基づいて、前記光記録媒体が多層構造のものか否かを判別する多層判別手段と、
前光記記録媒体の空き容量を検出する空き容量検出手段と、
前記記録状態検出手段からの検出結果と、前記多層判別手段からの判別結果と、前記空き容量検出手段からの検出結果とを通知するようにする通知手段と
を備えることを特徴とする情報記録装置。
【請求項２】
請求項１に記載の情報記録装置であって、
光記録媒体から得られる情報に基づいて、前記光記録媒体が両面使用可能に構成されたものか否かを判別する両面判別手段と、
前記両面判別手段により、前記光記録媒体が両面使用可能に構成されたものであると判別された場合に、前記光記録媒体のいずれの使用面が、データの書き込み／読み出しの対象になっているかを判別する使用面判別手段と
を備え、
前記通知手段は、前記両面判別手段の判別結果と、前記使用面判別手段の判別結果とをも通知するようにすることを特徴とする情報記録装置。
【請求項３】
請求項１または請求項２に記載の情報記録装置であって、
前記光記録媒体のサイズを検出するサイズ検出手段を備え、
前記通知手段は、前記サイズ検出手段により検出された前記記録媒体のサイズをも通知することを特徴とする情報記録装置。
【請求項４】
請求項１、請求項２または請求項３に記載の情報記録装置であって、
光記録媒体から得られる情報に基づいて、前記光記録媒体についてのデータの書き込み／読み出しに用いるレーザー光の波長域を特定する特定手段とを備え、前記通知手段は、前記特定手段により特定された書き込み／読み出しに用いる前記レーザー光の波長域をも通知することを特徴とする情報記録装置。
【請求項５】
請求項４に記載の情報記録装置であって、
前記通知手段は、前記特定手段により特定された書き込み／読み出しに用いる前記レーザー光の波長域と同一波長域内の色表示によって、書き込み／読み出しに用いる前記レーザー光の波長域を通知することを特徴とする情報記録装置。
【請求項６】
光記録媒体から得られる情報に基づいて、前記光記録媒体の種類を判別する種類判別ステップと、
前記種類判別ステップにおいて、前記光記録媒体が追記型の光記録媒体であると判別した場合に、当該光記録媒体を読み出し専用光記録媒体とするための所定の処理が必要なフォーマットでデータが記録され、既に前記所定の処理されているか否かを検出する記録状態検出ステップと、
光記録媒体から得られる情報に基づいて、前記光記録媒体が多層構造のものか否かを判別する多層判別ステップと、
前記記録媒体の空き容量を検出する空き容量検出ステップと、
前記記録状態検出ステップにおいての検出結果と、前記多層判別ステップにおいての判別結果と、前記空き容量検出ステップにおいての検出結果とを通知するようにする通知ステップと
を有することを特徴とする媒体情報通知方法。
【請求項７】
請求項６に記載の媒体情報通知方法であって、
光記録媒体から得られる情報に基づいて、前記光記録媒体が両面使用可能に構成されたものか否かを判別する両面判別ステップと、
前記両面判別ステップにおいて、前記光記録媒体が両面使用可能に構成されたものであると判別した場合に、前記光記録媒体のいずれの使用面が、データの書き込み／読み出しの対象になっているかを判別する使用面判別ステップと
を有し、
前記通知ステップにおいては、前記両面判別ステップにおいての判別結果と、前記使用面判別ステップにおいての判別結果とをも通知するようにすることを特徴とする媒体情報通知方法。
【請求項８】
請求項６または請求項７に記載の媒体情報通知方法であって、
前記光記録媒体のサイズを検出するサイズ検出ステップを有し、
前記通知ステップにおいては、前記サイズ検出ステップにおいて検出された前記記録媒体のサイズをも通知することを特徴とする媒体情報通知方法。
【請求項９】
請求項６、請求項７または請求項８に記載の媒体情報通知方法であって、
光記録媒体から得られる情報に基づいて、前記光記録媒体についてのデータの書き込み／読み出しに用いるレーザー光の波長域を特定する特定ステップを有し、
前記通知ステップにおいては、前記特定ステップにおいて特定した書き込み／読み出しに用いる前記レーザー光の波長域をも通知することを特徴とする媒体情報通知方法。
【請求項１０】
請求項９に記載の媒体情報通知方法であって、
前記通知ステップにおいては、前記特定ステップにおいて特定した書き込み／読み出しに用いる前記レーザー光の波長域と同一波長域内の色表示によって、書き込み／読み出しに用いる前記レーザー光の波長域を通知することを特徴とする媒体情報通知方法。
【発明の詳細な説明】
【０００１】
【発明の属する技術分野】
この発明は、例えば、ＤＶＤ（Ｄｉｇｉｔａｌ  Ｖｅｒｓａｔｉｌｅ  Ｄｉｓｋ）などの光記録媒体を用いる場合に、当該光記録媒体に関する情報をユーザに対して通知可能にする装置、方法に関する。
【０００２】
【従来の技術】
大容量の光記録媒体として、読み出し専用の光ディスクであるＤＶＤ−ＲＯＭが用いられている。また、ＤＶＤ−ＲＯＭドライブ（ＤＶＤ−ＲＯＭの再生機）において再生することが可能な光記録媒体として、追記型の光記録媒体であるＤＶＤ−Ｒ（ＤＶＤ−Ｒｅｃｏｒｄａｂｌｅ）や書き換え型の光記録媒体であるＤＶＤ−ＲＷ（ＤＶＤ  ＲｅＷｒｉｔａｂｌｅ）等が提供されている。
【０００３】
また、上述のＤＶＤ−Ｒ、ＤＶＤ−ＲＷに画像データ等を記録する場合に用いられる記録フォーマットには、ＤＶＤビデオフォーマット（ＤＶＤ  Ｖｉｄｅｏ  Ｆｏｒｍａｔ）があり、さらに、ＤＶＤ−ＲＷに画像データ等を記録する場合に用いることが可能な記録フォーマットとして、ＤＶＤビデオレコーディングフォーマット（ＤＶＤ  Ｖｉｄｅｏ  Ｒｅｃｏｒｄｉｎｇ  Ｆｏｒｍａｔ）が提供されている。
【０００４】
ここで、ＤＶＤビデオフォーマットは、もともとＤＶＤ−ＲＯＭ用の記録フォーマットであり、データの追記記録に適したものである。このＤＶＤビデオフォーマットを用いて例えばＤＶＤ−Ｒに画像データや音声データを記録した場合、当該ＤＶＤ−Ｒを記録機器とは異なる再生機において用いるようにするためには、当該ＤＶＤ−Ｒに記録された情報に基づいて、いわゆるＶＭＧ（Ｖｉｄｅｏ  Ｍａｎａｇｅｒ）情報と呼ばれる所定の情報を作成して当該ＤＶＤ−Ｒに記録する所定の処理であるいわゆるファイナライズ処理が必要となる。
【０００５】
すなわち、ファイナライズ処理は、ＤＶＤビデオフォーマットでＤＶＤ−Ｒにデータを追記記録していった場合に、最終的に、当該ＤＶＤ−Ｒを追記禁止の状態とし、ＤＶＤ−ＲＯＭ互換ディスクとしてＤＶＤ−ＲＯＭドライブで読み取り可能なデータディスクとしてクローズする処理である。
【０００６】
これに対して、ＤＶＤビデオレコーディングフォーマットは、編集の融通性に優れたものであり、シーンの削除や追加などといった編集を比較的に簡単に行えるように考慮したデータ構造を有し、主に、書き換え可能なディスク記録媒体であるＤＶＤ−ＲＷで用いるようにされる。また、ＤＶＤビデオレコーディングフォーマットは、上述したＤＶＤビデオフォーマットの場合のように、ファイナライズ処理を行う必要もないものである。
【０００７】
このように、ＤＶＤ−ＲＯＭの他、ＤＶＤ−ＲＯＭと互換性がある追記記録が可能なＤＶＤ−Ｒや書き換え可能なＤＶＤ−ＲＷが広く用いられるようになり、これらＤＶＤ−ＲやＤＶＤ−ＲＷに画像データ等を記録する場合に、ユーザの利便性を考慮すると、記録に用いるＤＶＤ−ＲやＤＶＤ−ＲＷの空き容量をユーザに対して正確に通知する必要が生じる。
【０００８】
ＤＶＤメディアではないが、ＤＶＤと同じ光記録媒体であるＣＤ−Ｒ（Ｃｏｍｐａｃｔ  Ｄｉｓｃ  Ｒｅｃｏｒｄａｂｌｅ）を記録媒体として用いるビデオカメラにおいて、ＣＤ−Ｒの空き領域表示を行うとともに、ＤＶＤビデオフォーマットにおけるファイナライズ処理に相当するクローズセッション処理の有無を表示するようにする技術が、特許文献１（特開２００１−３５１３６３号公報）に開示されている。
【０００９】
この特許文献１に記載された技術により、記録に用いる光ディスクの容量を把握することができるとともに、クローズセッション処理の有無をもユーザに通知することができる。これにより、ユーザは、空き容量を正確に把握し、空き容量が十分であるか否かを適性に判断することができる。また、クローズセッション処理が行われた光ディスクにさらにデータを記録しようとするときには、即座にクローズセッション処理を解除するようにする処理を行うようにすることができるなどの利点がある。
【００１０】
【特許文献１】
特開２００１−３５１３６３号公報
【００１１】
【発明が解決しようとする課題】
ところで、上述したＤＶＤ−ＲＯＭ、ＤＶＤ−Ｒ、ＤＶＤ−ＲＷのそれぞれには、さらに幾つかの種類がある。つまり、ＤＶＤ−ＲＯＭには、単層片面ディスク、単層両面ディスク、２層片面ディスク、２層両面ディスクと４つの異なる種類があり、そのそれぞれで記憶容量が異なっている。また、ＤＶＤ−Ｒ、ＤＶＤ−ＲＷにおいては、少なくとも、単層片面ディスク、単層両面ディスクが提供されており、ＤＶＤ−ＲＯＭのように、ディスクの材質などの改良により、２層記録可能なものの提供も考えられる。
【００１２】
このように、一般に読み出し専用のＤＶＤ−ＲＯＭ、追記型のＤＶＤ−Ｒ、書き換え可能なＤＶＤ−ＲＷといっても、ディスクの物理的な構造が異なり、記憶容量の異なる複数のものが存在し、その種類は増えることが予想される。
【００１３】
また、ＤＶＤ等の光記録媒体に画像データ等を記録する場合には、一般に、波長が６３５ｎｍ（ナノメータ）や６５０ｎｍ（ナノメータ）等の赤色レーザーが用いられている。しかし、今後は、波長が例えば４０５ｎｍと短い青色レーザーも用いられるようになることが考えられる。
【００１４】
波長が４０５ｎｍ前後の青色レーザーが用いられてデータが記録される青色レーザー用のＤＶＤの場合には、現行の赤色レーザーが用いられてデータが記録される赤色レーザー用のＤＶＤの約４倍の記録面密度、すなわち約４倍の記録容量を有することになる。
【００１５】
このように、青色レーザー光をデータの書き込み／読み出しに用いる青色レーザー用のＤＶＤを考えると、青色レーザー用のＤＶＤ−ＲＯＭ、青色レーザー用のＤＶＤ−Ｒ、青色レーザー用のＤＶＤ−ＲＷの提供が考えられ、これらについても、上述した赤色レーザーによってデータの書き込み／読み出しが行われる従来からのＤＶＤのディスクの場合と同様に複数の種類のＤＶＤが提供されることが予想される。
【００１６】
また、上述もしたように、青色レーザー光を書き込み用のレーザー光源として用いた場合には、赤色レーザー光を書き込み用のレーザー光源として用いた場合に比べ、同じ大きさのディスクであっても、４倍の記憶容量を確保することが可能であるので、ＤＶＤの小型化がさらに図られることも考えられる。
【００１７】
すなわち、従来からの１２ｃｍのＤＶＤ、８ｃｍのＤＶＤに加え、８ｃｍよりも小型化されたＤＶＤの提供も考えられる。記録可能なＤＶＤは、いわゆるモバイル機器であるデジタルビデオカメラの記録媒体として用いることも考えられており、モバイル機器に適するより小型化したＤＶＤが提供される可能性は大きいと考えられる。
【００１８】
このように、ディスクの物理的な構成やディスクの外観サイズが異なる複数種類のＤＶＤが提供されるようになることを考えると、ＲＯＭ互換のあるＤＶＤだけでもかなりの種類となる。そして、記録媒体としてＤＶＤを用いる例えばデジタルビデオカメラの提供を考えると、そのユーザは、自分がどの種類のＤＶＤを当該デジタルビデオカメラに装填しているのかを忘れてしまう場合もあると考えられる。
【００１９】
従来のビデオテープを用いるビデオカメラの場合には、装填されたビデオテープをビデオカメラに設けられた窓から見れば、どの位の記録が可能なビデオテープを装填しており、どの程度まで記録しているかを即座に知ることが可能であるが、ＤＶＤのようなディスク記録媒体の場合には、その空き容量までを正しく知ることができない。
【００２０】
従って、例えば、２層記録が可能なＤＶＤを用いているつもりが、実は単層記録のＤＶＤであったり、また、両面記録が可能なＤＶＤを用いているつもりが、実は片面記録のＤＶＤであったり、また、青色レーザー用のＤＶＤを用いているつもりが、赤色レーザー用のＤＶＤであったりするなどの場合が発生する。このような場合、空き容量に余裕があると思っていたのに、実際には十分な空き容量がなく、目的とする情報の全部を記録できなったりするなどの不都合が発生することが考えられる。
【００２１】
以上のことにかんがみ、この発明は、構造や外観サイズ、あるいは、記録フォーマットの異なる複数種類の光記録媒体の利用が可能な装置において、用いている光記録媒体についての情報を正確に、かつ、分かりやすくユーザに通知できるようにする装置、方法を提供することを目的とする。
【００２２】
【課題を解決するための手段】
上記課題を解決するため、請求項１に記載の発明の情報記録装置は、
光記録媒体から得られる情報に基づいて、前記光記録媒体の種類を判別する種類判別手段と、
前記種類判別手段において、前記光記録媒体が追記型、あるいは、書き換え型の光記録媒体であると判別された場合に、当該光記録媒体を読み出し専用光記録媒体とするための所定の処理が必要なフォーマットでデータが記録され、既に前記所定の処理されているか否かを検出する記録状態検出手段と、
光記録媒体から得られる情報に基づいて、前記光記録媒体が多層構造のものか否かを判別する多層判別手段と、
前光記記録媒体の空き容量を検出する空き容量検出手段と、
前記記録状態検出手段からの検出結果と、前記多層判別手段からの判別結果と、前記空き容量検出手段からの検出結果とを通知するようにする通知手段と
を備えることを特徴とする。
【００２３】
この請求項１に記載の発明の情報記録装置によれば、種類判別手段により、光記録媒体が、例えば、読み出し専用のものか、追記型のものか、書き換え可能型のものかが判別されるとともに、追記型、あるいは、書き換え可能型の光記録媒体であると判別された場合には、当該光記録媒体を読み出し専用の光記録媒体にするための所定の処理（ＤＶＤの場合で言えば、ＤＶＤビデオフォーマットにおけるファイナライズ処理）が必要なフォーマットでデータが記録され、当該所定の処理が既にされているか否かが記録状態検出手段により検出される。
【００２４】
さらに、多層判別手段により多層の光記録媒体か否かが判別されるとともに、空き容量検出手段により、当該光記録媒体の空き容量が検出される。そして、少なくとも、記録状態検出手段の検出結果と、多層判別手段の判別結果と、空き容量検出手段からの検出結果とが、通知手段を通じてユーザに通知される。
【００２５】
これにより、読み出し専用の光記録媒体にするための所定の処理が必要な記録フォーマットでデータが記録される光記録媒体か否か、当該所定の処理が必要な記録フォーマットでデータが記録される光記録媒体の場合には、当該所定の処理が既に行われた光記録媒体か否か、さらに単層光記録媒体か多層記録媒体かの別、および、当該光記録媒体の空き容量がユーザに通知され、ユーザは、当該光記録媒体を適正に用いることができるようにされる。
【００２６】
すなわち、読み出し専用の光記録媒体にするための所定の処理が既に行われている光記録媒体を当該所定の処理されていない光記録媒体と間違えたり、単層と２層を間違えたりすることを防止し、データの記録可能であると思っていたのに、実は記録ができなかったり、空き容量を勘違いするなどの不都合を防止することができる。
【００２７】
また、請求項２に記載の情報記録装置は、請求項１に記載の情報記録装置であって、
光記録媒体から得られる情報に基づいて、前記光記録媒体が両面使用可能に構成されたものか否かを判別する両面判別手段と、
前記両面判別手段により、前記光記録媒体が両面使用可能に構成されたものであると判別された場合に、前記光記録媒体のいずれの使用面が、データの書き込み／読み出しの対象になっているかを判別する使用面判別手段と
を備え、
前記通知手段は、前記両面判別手段の判別結果と、前記使用面判別手段の判別結果とをも通知するようにすることを特徴とする。
【００２８】
この請求項２に記載の情報記録装置によれば、用いる光記録媒体が両面使用可能なものか否かが両面判別手段により判別され、また、両面使用可能なものである場合には、どちらの面が使用するようにされているかが使用面判別手段により判別され、これらの情報も通知手段を通じてユーザに通知される。
【００２９】
これにより、両面使用可能な光記録媒体か否か、両面使用可能な光記録媒体である場合には、どちらの面が使用の対象になっているかをもユーザに通知することができるようにされる。したがって、ユーザは用いる光記録媒体についての正確な情報を得て、当該光記録媒体を適正に用いることができるようにされる。すなわち、片面光記録媒体と両面記録媒体とを間違えることを防止し、使用面を間違えることを防止することができる。
【００３０】
また、請求項３に記載の発明の情報記録装置は、請求項１または請求項２に記載の情報記録装置であって、
前記光記録媒体のサイズを検出するサイズ検出手段を備え、
前記通知手段は、前記サイズ検出手段により検出された前記記録媒体のサイズをも通知することを特徴とする。
【００３１】
この請求項３に記載の発明の情報記録装置によれば、サイズ検出手段により、用いる光記録媒体のサイズが検出され、この検出された光記録媒体のサイズも通知手段を通じてユーザに通知される。ここで、光記録媒体のサイズは、例えば、ＤＶＤの場合には、１２ｃｍＤＶＤ、８ｃｍＤＶＤ等、その光記録媒体の外形サイズである。
【００３２】
これにより、用いる光記録媒体のサイズをもユーザに通知することができるようにされる。したがって、ユーザは、用いる光記録媒体についての正確な情報を得て、当該光記録媒体を適正に用いることができるようにされる。すなわち、用いる光記録媒体のサイズを間違えることを防止することができる。
【００３３】
また、請求項４に記載の発明の情報記録装置は、請求項１、請求項２または請求項３に記載の情報記録装置であって、
光記録媒体から得られる情報に基づいて、前記光記録媒体についてのデータの書き込み／読み出しに用いるレーザー光の波長域を特定する特定手段とを備え、前記通知手段は、前記特定手段により特定された書き込み／読み出しに用いる前記レーザー光の波長域をも通知することを特徴とする。
【００３４】
この請求項４に記載の発明の情報記録装置によれば、用いる光記録媒体についてのデータの書き込み／読み出しに用いられるレーザー光の波長域が特定手段により特定され、この特定手段においての特定結果についても、通知手段を通じてユーザに通知される。
【００３５】
これにより、用いる光記録媒体についてのデータの書き込み／読み出しに用いられるレーザー光の波長についての情報もユーザに通知することができるようにされる。したがって、ユーザは、用いる光記録媒体についての正確な情報を得て、当該光記録媒体を適正に用いることができるようにされる。
【００３６】
すなわち、記録に用いるレーザー光の波長が異なれば、記録容量もことなるが、これをユーザが明確に意識できるようにすることができるようにされ、波長の異なる２つ以上のレーザー光をデータの書き込みに用いることが可能な記録装置であっても、空き容量などを間違えて把握してしまうことを防止することができる。
【００３７】
また、請求項５に記載の発明の情報記録装置は、請求項４に記載の情報記録装置であって、
前記通知手段は、前記特定手段により特定された書き込み／読み出しに用いる前記レーザー光の波長域と同一波長域内の色表示によって、書き込み／読み出しに用いる前記レーザー光の波長域を通知することを特徴とする。
【００３８】
この請求項５に記載の発明の情報記録装置によれば、特定手段による特定結果は、色表示により通知するようにされる。これにより、ユーザは、視覚を通じて直感的に、用いる光記録媒体についてのデータの書き込み／読み出しに用いられるレーザー光の波長域を知ることができるようにされ、用いる光記録媒体についての正確な情報を得て、当該光記録媒体を適正に用いることができるようにされる。
【００３９】
【発明の実施の形態】
以下、図を参照しながら、この発明による装置、方法の一実施の形態について説明する。以下に説明する実施の形態においては、記録媒体としてＤＶＤを用いるデジタルビデオカメラ（ＤＶＤデジタルビデオカメラ）に、この発明による装置、方法を適用した場合を例にして説明する。
【００４０】
なお、以下に説明する実施の形態のＤＶＤデジタルビデオカメラは、後述もするように、再生機能をも備えるものであり、また、データの書き込み／読み出しに用いるレーザー光源として、赤色レーザー光と青色レーザー光の２つの波長の異なるレーザー光を用いることができるものである。
【００４１】
そして、以下に説明する実施の形態のＤＶＤデジタルビデオカメラにおいて用いることが可能なＤＶＤは、ＤＶＤ−ＲＯＭ、ＤＶＤ−Ｒ、ＤＶＤ−ＲＷと、これらの単層片面ディスク、単層両面ディスク、２層片面ディスク、２層両面ディスク、さらにこれらの赤色レーザー用ディスク、青色レーザー用ディスクを用いることができるものである。また、用いることが可能なサイズのＤＶＤも１種類だけでなく、例えば、１２ｃｍＤＶＤ、８ｃｍＤＶＤ、８ｃｍ以下のサイズのＤＶＤなどを用いることができるものである。
【００４２】
図１は、この実施の形態のＤＶＤデジタルビデオカメラを説明するためのブロック図である。図１に示すように、この実施の形態のＤＶＤデジタルビデオカメラは、情報処理部１とＤＶＤドライブ２とが同一筐体中に設けられて構成されたものである。以下においては、情報処理部１と、ＤＶＤドライブ２とに分けて、その構成と動作について説明する。
【００４３】
［情報処理部（ホスト装置部）１について］
まず、ホスト装置部としての機能を有する情報処理部１について説明する。図１に示すように、情報処理部１は、カメラ部１１、カラーＬＣＤ（Ｌｉｑｕｉｄ  Ｃｒｙｓｔａｌ  Ｄｉｓｐｌａｙ）１２、ビデオ／オーディオインターフェース部（以下、ビデオ／オーディオＩ／Ｆ部という。）１３、圧縮／伸張信号処理部１４、データ制御部１５、ドライブ制御部１６、外部機器インターフェース部（以下、外部機器Ｉ／Ｆという。）１７、システム制御部１８、プログラムメモリー１９、ユーザインターフェース部（以下、ユーザＩ／Ｆ部という。）２０を備えたものである。
【００４４】
ビデオ／オーディオＩ／Ｆ部１３、圧縮／伸張信号処理部１４、データ制御部１５のそれぞれには、図１に示すように、主に作業領域として用いられる、スクリーンメモリー１３Ｍ、圧縮／伸張メモリー１４Ｍ、データメモリー１５Ｍが設けられている。
【００４５】
そして、この実施の形態のＤＶＤデジタルビデオカメラの情報処理部１において、システム制御部１８は、この実施の形態のＤＶＤデジタルビデオカメラの各部を制御するものであり、図示しないが、ＣＰＵ（Ｃｅｎｔｒａｌ  Ｐｒｏｃｅｓｓｉｎｇ  Ｕｎｉｔ）や作業領域として用いられるＲＡＭ（Ｒａｎｄｏｍ  Ａｃｃｅｓｓ  Ｍｅｍｏｒｙ）、設定パラメータやその他電源が落とされても保持しておくべき種々のデータを記憶保持するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）、フラッシュメモリーなどの不揮発性メモリーを備えたものである。
【００４６】
システム制御部１８には、図１に示したように、プログラムメモリー１９、ユーザＩ／Ｆ２０が接続されている。プログラムメモリー１９は、システム制御部１８において実行される種々のプログラムや処理に必要なデータが記録されたものである。なお、上述もしたように、この実施の形態のＤＶＤデジタルビデオカメラのＤＶＤドライブ２は、赤色レーザー光と青色レーザー光との波長の異なる２つのレーザー光を使い分けることができるものであり、波長の異なるレーザー光を用いてデータが記録されることになる、異なるＤＶＤに対応してファイル管理を行うためのファイルシステムもプログラムメモリー１９に用意されている。
【００４７】
すなわち、プログラムメモリー１９には、赤色レーザー用として、ＤＶＤビデオフォーマットのＵＤＦブリッジファイルシステム、ＤＶＤビデオレコーディングフォーマットのＵＤＦファイルシステム、また、青色レーザー用として、ＤＶＤブルービデオフォーマットのＵＤＦファイルシステム、ＤＶＤブルービデオレコーディングフォーマットのＵＤＦファイルシステムなどが搭載されている。
【００４８】
また、ユーザＩ／Ｆ２０は、複数のファンクションキーやボタンスイッチ、スライドキーなどからなり、撮影開始や撮影終了、再生開始や再生終了などのユーザからの種々の指示入力を受け付けて、これをシステム制御部１８に通知することができるものである。これにより、システム制御部１８は、ユーザからの指示入力に応じて各部を制御することにより、ユーザの指示に応じた処理を行うことができるようにされる。
【００４９】
そして、この実施の形態のＤＶＤデジタルビデオカメラにおいては、図１に示したように、カメラ部１１と、カラーＬＣＤ１２とがビデオ／オーディオＩ／Ｆ部１３に接続するようにされている。
【００５０】
カメラ部１１は、レンズ、ＣＣＤ（Ｃｈａｒｇｅ  Ｃｏｕｐｌｅｄ  Ｄｅｖｉｃｅ）等を備え、レンズを通ってきた被写体の画像をＣＣＤによってアナログ映像信号に変換し、これを後段の回路部に供給する。また、カメラ部１１の近傍には、図示しないがマイクロホンが設けられており、撮影時に音声を収音し、収音した音声を電気信号に変換して取り込むこともできるようにされている。
【００５１】
カラーＬＣＤ１２は、カメラ部１１が捉えている画像やＤＶＤドライブ２に装填されたＤＶＤから読み出された映像データによる再生画像をカラー表示するようにするものである。また、例えば、カラーＬＣＤ１２の近傍には、図示しないがスピーカが設けられ、マイクロホンで収音された音声や、ＤＶＤドライブ２に装填されたＤＶＤから読み出された音声データによる再生音声が放音するようにされている。
【００５２】
ビデオ／オーディオＩ／Ｆ部１３は、カメラ部１１からのアナログ映像信号やマイクロホンからのアナログ音声信号を受け付けて、これらを自機において処理可能な形式のデジタル信号に変換し、これら変換後の映像データ、音声データを後段の圧縮／伸張信号処理部１４に供給する。このように、ビデオ／オーディオＩ／Ｆ部１３は、カメラ部１１などからの映像や音声を自機に取り込む機能を有している。
【００５３】
また、ビデオ／オーディオＩ／Ｆ部１３は、圧縮／伸張信号処理部１４からの伸張処理された映像データ、音声データをアナログ信号に変換し、アナログ映像信号をカラーＬＣＤ１２に供給するとともに、アナログ音声信号をスピーカに供給する。このように、ビデオ／オーディオＩ／Ｆ部１３は、映像や音声を自機から出力する機能を有している。
【００５４】
圧縮／伸張信号処理部１４は、ビデオ／オーディオＩ／Ｆ１３からの映像データ、音声データを所定の方式でデータ圧縮して、データ圧縮後の映像データ、音声データを後段のデータ制御部１５に供給したり、また、データ制御部１５からのデータ圧縮されている映像データ、データ圧縮されている音声データを伸張して、データ伸張後の映像データ、音声データをビデオ／オーディオＩ／Ｆ部１３に供給したりする。
【００５５】
なお、圧縮／伸張信号処理部１４において用いられるデータ圧縮方式は、静止画の場合はＪＰＥＧ（Ｊｏｉｎｔ  Ｐｈｏｔｏｇｒａｐｈｉｃ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）とその機能が発展した将来の代替えとなる方式、動画の場合はＭＰＥＧ２とその機能が発展した将来の代替えとなる方式などである。もちろん、これらの方式に限ることなく、種々の方式を用いることも可能である。
【００５６】
データ制御部１５は、ＳＤＲＡＭ（Ｓｙｎｃｈｒｏｎｏｕｓ  Ｄｙｎａｍｉｃ  ＲＡＭ）などにより構成されるデータメモリー１５Ｍをバッファメモリーとして用い、非同期であるＤＶＤデジタルビデオカメラと、このＤＶＤデジタルビデオカメラに装填されたＤＶＤとの間における映像データ、音声データについての時間軸補正を行うようにしている。
【００５７】
したがって、カメラ部１１を通じて得た映像データや音声データをＤＶＤドライブ２に装填されたＤＶＤに記録する場合には、圧縮／伸張信号処理部１４からのデータが、データ制御部１５を通じてデータメモリー１５Ｍに記録されるとともに、データメモリー１５Ｍに先に記録されているデータがデータ制御部１５により読み出されてドライブ制御部１６に供給され、後述するように、ＤＶＤドライブ２に装填されたＤＶＤに記録されることになる。
【００５８】
また、ドライブ制御部１６を通じて供給されるＤＶＤドライブ２に装填されたＤＶＤから読み出された映像データ、音声データは、データ制御部１５を通じてデータメモリー１５Ｍに記録されるとともに、データメモリー１５Ｍに先に記録されているデータがデータ制御部１５により読み出されて圧縮／伸張信号処理部１４に供給され、上述もしたように、データ伸張、デジタル／アナログ変換されて、出力するようにされる。
【００５９】
このように、データメモリー１５Ｍは、いわゆるファースト−イン・ファースト−アウト（Ｆｉｒｓｔ  Ｉｎ  Ｆｉｒｓｔ  Ｏｕｔ）形式で使用され、例えばカメラ部１１から供給される時間的に連続する映像データや音声データを途切れることなく、ＤＶＤドライブ２に装填されたＤＶＤに記録したり、また、ＤＶＤドライブ２に装填されているＤＶＤに記録されている時間的に連続する映像データや音声データを途切れることなく再生したりすることができるようにしている。
【００６０】
そして、ドライブ制御部１６は、ＤＶＤドライブ２との接続インターフェースであり、この実施の形態においては、例えば、光ディスクドライブ用コマンド標準であるいわゆるＭｔ．Ｆｕｊｉマルチメディアコマンドセットを実装するＡＴＡＰＩインターフェースである。
【００６１】
なお、Ｍｔ．Ｆｕｊｉマルチメディアコマンドセットの正式名称は、ＳＦＦ８０９０ｉ  ｖ５  Ｓｍａｌｌ  Ｆｏｒｍ  Ｆａｃｔｏｒ  Ｃｏｍｉｔｔｅｅ  Ｓｐｅｃｉｆｉｃａｔｉｏｎ  ｏｆ：Ｍｔ．Ｆｕｊｉ  Ｃｏｍｍａｎｄｓ  ｆｏｒＭｕｔｉｍｅｄｉａ  Ｄｅｖｉｃｅｓである。
【００６２】
もちろん、インターフェースは、これに限るものではなく、シリアル形式への発展型インターフェース、無線通信型インターフェースなどの、光ディスク用のパケットコマンドを使用することができる種々のインターフェースやその他のインターフェースを用いるようにすることができる。
【００６３】
そして、上述もしたように、データ制御部１５からのデータは、ドライブ制御部１６を通じて、ＤＶＤドライブ２に供給されて、ＤＶＤドライブ２に装填されたＤＶＤに記録されることになる。また、ＤＶＤドライブ２に装填されたＤＶＤから読み出されたデータは、ドライブ制御部１６を通じてデータ制御部１５に供給され、上述したように、データ制御部１５、圧縮／伸張信号処理部１４、ビデオ／オーディオＩ／Ｆ部を通じて再生するようにされる。
【００６４】
また、この実施の形態のＤＶＤデジタルビデオカメラは、外部機器Ｉ／Ｆ部１７を備えている、この外部機器Ｉ／Ｆ部は、例えば、パーソナルコンピュータなどの外部機器との接続を可能にするものであり、例えば、ＵＳＢ（Ｕｎｉｖｅｒｓａｌ  Ｓｅｒｉａｌ  Ｂｕｓ）回路である。この外部機器Ｉ／Ｆ部１７を用いる場合には、データ制御部１５とドライブ制御部１６、あるいは、ドライブ制御部１６を通じてデータのやり取りを行うことができるようにされる。
【００６５】
［ＤＶＤドライブ２について］
次に、ＤＶＤドライブ２について説明する。図２は、この実施の形態のＤＶＤデジタルビデオカメラに搭載されたＤＶＤドライブ２を説明するためのブロック図である。図２に示すように、ＤＶＤドライブ２は、ファームウエア制御部２１、ホストインターフェース部（以下、ホストＩ／Ｆ部という。）２２、パケットデバイス情報部２３、メモリー制御部２４、ドライブキャッシュメモリー２５、書き込み／読み出し部２６、光ヘッド部（ＯＰＤ：Ｏｐｔｉｃａｌ  Ｐｉｃｋｕｐ  Ｄｅｖｉｃｅ）２７、ディスク検出部２８を備えやものである。また、図２において、ＤＶＤ３０は、ＤＶＤドライブ２に装填された光記録媒体（ＤＶＤ）を示している。
【００６６】
図２において、ホストＩ／Ｆ部２２は、ホスト装置部である情報処理部１のドライブ制御部１６とＡＴＡＰＩインターフェースで接続され、情報処理部１との間で、データの送受を行うようにするものである。パケットデバイス情報部２３は、ホストＩ／Ｆ部２２を通じて、情報処理部１との間で、上述したＭｔ．Ｆｕｊｉコマンドセットに対応するコマンド等のデータのパケット転送を非同期ハンドシェークで行うようにするものである。
【００６７】
そして、情報処理部１からのデータをＤＶＤ３０に記録する場合には、情報処理部１からのデータは、ホストＩ／Ｆ部２２を通じてメモリー制御部２４に供給される。メモリー制御部２４は、ドライブキャッシュメモリー２５をバッファメモリーとして用いて、データが途切れることがないようにして、書き込み／読み出し部２６に供給する。
【００６８】
書き込み／読み出し部２６は、データの記録時においては、ＣＲＣ（Ｃｙｃｌｉｃ  Ｒｅｄｕｎｄａｎｃｙ  Ｃｈｅｃｋ）エラー訂正符号の付加、変調処理を行って記録用信号を形成して、形成した記録用信号を光ヘッド部２７に供給する。光ヘッド部２７は、書き込み／読み出し部２６からの記録用信号に応じた記録用のレーザー光を、装填されたＤＶＤ３０に照射することにより、ＤＶＤ３０に記録用信号を記録するようにする。
【００６９】
また、データの再生時においては、光ヘッド部２７は、ＤＶＤ３０に読み出し用のレーザー光を照射し、その反射光を受光して電気信号に変換し、これが書き込み読み出し部２６に供給される。この場合、書き込み／読み出し部２６は、光ヘッド部２７からの電気信号について、復調処理、ＣＲＣエラー訂正符号のデコード処理とエラー訂正などを行い、復調後のデータをメモリー制御部２４を通じてホストＩ／Ｆ部２２に供給する。そして、復調されたデータは、ホストＩ／Ｆ部２２を通じて情報処理部１に供給される。
【００７０】
また、ＤＶＤドライバ２には、ＤＶＤが装填されたときに、光ヘッド部２７から照射したレーザー光の反射光を電気信号に変換して得られた信号の供給を受けて、装填されたＤＶＤの識別情報を読み取ることによって、ディスク種類などの情報を読み取るようにするディスク検出部２８が設けられている。
【００７１】
また、ディスク検出部２８からの検出結果の供給を受けて、ＤＶＤの種類などを判別するファームウエア制御部２１がある。ファームウエア制御部２１においての判別結果は、ホストＩ／Ｆ部２２を通じてホスト装置部である情報処理部１にハンドシェークプロトコルで通知される。また、ファームウエア制御部２１は、ＤＶＤドライブの各部を制御するシステムコントローラとしての機能をも有している。
【００７２】
また、この実施の形態のＤＶＤデジタルビデオカメラにおいて、光ヘッド部２７は、上述もしたように、装填されたＤＶＤに応じて、従来からの赤色レーザー光（例えば、波長６５０ｎｍ）と、青色レーザー光（例えば、波長４０５ｎｍ）との波長の異なる２つのレーザー光を使い分けることができるものである。
【００７３】
そして、詳しくは、後述するように、ＤＶＤドライブ２に装填されたＤＶＤの種類などの用いられるＤＶＤに関する情報が、情報処理部１のシステム制御部１８によって制御されるビデオ／オーディオＩ／Ｆ部１３を通じて、カラーＬＣＤ１２の表示画面に表示され、当該ＤＶＤデジタルビデオカメラのユーザに通知するようにされる。
【００７４】
なお、上述もしたように、この実施の形態のＤＶＤデジタルビデオカメラにおいては、ＤＶＤ−ＲＯＭ、ＤＶＤ−Ｒ、ＤＶＤ−ＲＷと、これらの単層片面ディスク、単層両面ディスク、２層片面ディスク、２層両面ディスク、さらにこれらの赤色レーザー用ディスク、青色レーザー用ディスクを用いることができるものである。また、用いることが可能なサイズのＤＶＤも複数である。
【００７５】
また、上述の各ＤＶＤの場合には、ディスクの種類を識別するための識別情報は、ディスクの反射層に記録されている。また、識別情報をバーストカッティングによって記録するようにしたディスクも考えられており、このようなバーストカッティングによって識別情報が記録されたＤＶＤの利用も可能である。
【００７６】
この実施の形態のＤＶＤデジタルビデオカメラにおいては、ＤＶＤドライブ２のディスク検出部２８、ファームウエア制御部２１の機能によって、装填されたＤＶＤが上述したどの種類のＤＶＤであり、その空き容量はどれ位か、さらに、ＤＶＤビデオフォーマットでデータが記録されている場合には、ファイナライズの有無をも検出し、これらのＤＶＤに関する情報（用いる光記録媒体に関する情報）をカラーＬＣＤ１２を通じてユーザに対し、視認性よく通知することができるようにしている。
【００７７】
［ＤＶＤの種類とその判別方法について］
次に、この実施の形態のＤＶＤデジタルビデオカメラにおいて利用可能なＤＶＤメディアであるＤＶＤ‐ＲＯＭ、ＤＶＤ−Ｒ、ＤＶＤ−ＲＷ、バーストカッティングをメディア識別情報に使用するＤＶＤのそれぞれの判別の仕方について説明する。
【００７８】
［ＤＶＤの基本的な物理構造について］
図３は、ＤＶＤ−ＲＯＭ、ＤＶＤ−Ｒ、ＤＶＤ−ＲＷの基本的な物理構造を説明するための図である。図３（ａ）に示すように、ＤＶＤ−ＲＯＭは、内周側より外周側に向かって、読み出し領域、管理データ領域、リードインエリア、ファイルシステム情報領域、データ領域、リードアウト領域、終端領域が設けられる。
【００７９】
また、図３（ｂ）に示すように、ＤＶＤ−Ｒ、ＤＶＤ−ＲＷの場合には、基本的には、ＤＶＤ−ＲＯＭと同様の物理構成を有するが、読み出し領域と管理データ領域とに挟まれた部分に、ビーム強度テスト領域が設けられている点がＤＶＤ−ＲＯＭの場合と異なる。
【００８０】
そして、リードインエリアの直後のファイルシステム情報領域の先頭は、物理セクタ番号（ＰＳＮ：Ｐｈｙｓｉｃａｌ  Ｓｅｃｔｏｒ  Ｎｕｍｂｅｒ）＝３００００ｈ（ｈは、１６進数（Ｈｅｘａｄｅｃｉｍａｌ  Ｎｕｍｂｅｒｓ）を意味するものである。以下同じ。）論理セクタ番号（ＬＳＮ：Ｌｏｇｉｃａｌ  Ｓｅｃｔｏｒ  Ｎｕｍｂｅｒ）＝０００００ｈである。
【００８１】
この物理セクタ番号＝３００００ｈ番地より前のリードインエリア等の領域は、ＤＶＤドライブ２のファームウエア制御部２１などによって、その領域に記録されているデータを読み取ることができる領域である。このリードインエリアを含み、それよりも内周側の領域には、情報処理部１やＤＶＤドライブ２において利用される種々のデータが記録されている部分である。そして、物理セクタ番号＝３００００ｈ以降のデータ領域に、ユーザによって用いられる映像データや音声データ等の種々のユーザデータ記録される。
【００８２】
そして、ＤＶＤ−ＲＯＭは、読み出し専用のディスクであるので、情報処理部１、ＤＶＤドライブ２で用いられる種々のデータや、映像データや音声データなどのデータが予め記録されている。また、ＤＶＤ−ＲやＤＶＤ−ＲＷの場合には、
追記記録、あるいは、書き換えが可能であるが、例えば、ディスクの種別を示す識別情報などのいわゆる固定情報は、リードインエリア内のいわゆるエンボス領域に予め記録されている。
【００８３】
ここで、図３（ｃ）に示すように、リードインエリアの内部には、リファレンスコードゾーン、バッファゾーンに続き、コントロールデータゾーンが存在する。このコントロールデータゾーンは、今後のＤＶＤ−Ｒ、ＤＶＤ−ＲＷ、＋ＲＷメディアでは共通して製造時にディスクの種別識別情報などがエンボス記録されて読み取り可能となる部分である。
【００８４】
そして、コントロールデータゾーン内部には、２ｋバイトセクタ１６個のコントロールデータブロックが存在し、その第１番目のセクタ０の物理フォーマット情報フィールドには、物理フォーマット情報として、バイト０からバイト１５までの１６バイト分がエンボス記録されてあって、バイト０の上位４ビットでブックタイプ（Ｂｏｏｋ  Ｔｙｐｅ）、バイト１の上位４ビットでディスクサイズ、バイト２のビット６、ビット５でディスクの層の数が示される。
【００８５】
バイト０の上位４ビットのブックタイプの定義は次のようになされている。なお、この明細書において、例えば００００ｂのように、０または１の後の文字ｂは、その前の０と１との一方あるいは両方からなる数字列が、２進数（Ｂｉｎａｒｙ  Ｎｕｍｂｅｒｓ）であることを意味するものである。
００００ｂ  ＤＶＤ−ＲＯＭ
０００１ｂ  ＤＶＤ−ＲＡＭ
００１０ｂ  ＤＶＤ−Ｒ
００１１ｂ  ＤＶＤ−ＲＷ
１００１ｂ  ＤＶＤ＋ＲＷ。
【００８６】
なお、これ以外のコードを設けることによって、あるいは、青色レーザー用ＤＶＤであることを示す情報を別に設けることによって、青色レーザー用のＤＶＤ−ＲＯＭ、ＤＶＤ−ＲＡＭ、ＤＶＤ−Ｒ、ＤＶＤ−ＲＷ、ＤＶＤ＋ＲＷのそれぞれについても識別可能なようにすることができる。したがって、従来からの赤色レーザー用のＤＶＤと青色レーザー用のＤＶＤについても判別可能となる。
【００８７】
また、バイト１の上位４ビットのディスクサイズ（Ｄｉｓｋ  Ｓｉｚｅ）の定義は次のようになされている。
００００ｂ  １２ｃｍ径ディスク
０００１ｂ    ８ｃｍ径ディスク
その他            予約。
【００８８】
ここで、例えば８ｃｍよりも小径な新たなディスクの規格が提案され承認された場合であっても、予約されたコードを用いるようにし、このフィールドのビット列の読み取りでディスクサイズが判別可能となる。例えば、「００１０ｂ  所定径（例えば６ｃｍ）の小径ディスク」というように定義するようにすればよい。
【００８９】
さらに、バイト９〜バイト１１までの３バイトには、全データエリアの終端物理セクタ番号が記入されている。バイト１３〜バイト１５までの３バイトには、レイヤ０、すなわち実施例の第１層の終端物理セクタ番号が記録されている。これらの情報を用いることによって、記憶容量を正確に知ることができる。
【００９０】
また、多層ＤＶＤであるかどうかの判別、また、多層ＤＶＤである場合の記録方式がＯＴＰ（Ｏｐｐｏｓｉｔｅ  Ｔｒａｃｋ  Ｐａｔｈ）またはＰＴＰ（Ｐａｒａｌｌｅｌ  Ｔｒａｃｋ  Ｐａｔｈ）のどちらに対応するディスクであるかについても、ＤＶＤから読み取られる情報に基づいて判別することが可能である。
【００９１】
ここで、ＯＰＴ記録方式は、２層目においては、ＤＶＤの内周側から外周側（内側から外側）に向かってデータを記録し、１層目においては、ＤＶＤの外周側から内周側（外側から内側）に向かってデータを記録するというように、１層目と２層目とでデータの記録方向が異なる方式である。
【００９２】
また、ＰＴＰ記録方式は、１層目、２層目ともともにＤＶＤの内周側から外周側（内側から外側）というように、１層目、２層目とも、データの記録方向が同一となる記録方式である。そして、ＯＰＴ方式よりもＰＴＰ方式の方が、用いる層の切り換え時に、光ヘッド部２７の移動などのために時間がかかる。
【００９３】
また、片面ＤＶＤか両面ＤＶＤかの別についても、ＤＶＤから読み取られる情報に基づいて判別することが可能であり、また、両面記録のＤＶＤである場合には、Ａ面（表面）、Ｂ（裏面）のいずれを用いているかを知ることもできるようにされる。
【００９４】
このように、ＤＶＤのリードインエリアに予め記録された識別情報等に基づいて、用いるＤＶＤについての種類、サイズ、記憶容量、単層記録ＤＶＤか２層記録ＤＶＤか、２層記録ＤＶＤである場合には、記録方式がＯＰＴ方式かＰＴＰ方式か、また、片面記録ＤＶＤか両面記録ＤＶＤか、両面記録ＤＶＤである場合には、使用しているのはＡ面かＢ面かの別（使用面の別）、さらに赤色レーザー用か青色レーザー用かについても判別することができるようにされる。
【００９５】
［ＤＶＤ−ＲＯＭについて］
次に、この実施の形態において利用可能な種類の異なるＤＶＤのそれぞれについて説明する。まず、次に、ＤＶＤ−ＲＯＭについて説明する。図４は、ＤＶＤ−ＲＯＭの物理フォーマットについて説明するための図である。図４Ａに示すように、ＤＶＤ−ＲＯＭ１００は、その中央に再生機のスピンドルモータに固定するためのセンターホールＨを有し、内周側か順に、読出領域１０１、データ領域ＤＴ、終端領域１０９が設けられている。
【００９６】
データ領域ＤＴには、図４Ｂに示すように、内周側から管理データ領域１０２、リードインエリア１０３、ＶＯＬ（ボリューム）情報領域１０４、Ｆｉｌｅ  Ｓｙｓ（ファイルシステム）情報領域１０５、ＶＭＧ（Ｖｉｄｅｏ  Ｍａｎａｇｅｒ）情報領域１０６、ＶＴＳ（Ｖｉｄｅｏ  Ｔｉｔｌｅ  Ｓｅｔ）領域１０７（１）、１０７（２）、…、リードアウトエリア１０８、終端領域１０９が設けられる。
【００９７】
ＶＭＧ情報領域１０６は、図４Ｂに示すように、ＶＭＧＩ（Ｖｉｄｅｏ  Ｍａｎａｇｅｒ  Ｉｎｆｏｒｍａｔｉｏｎ）領域、メニューＶＯＢＳ（Ｖｉｄｅｏ  Ｏｂｊｅｃｔ  Ｓｅｔ）領域、Ｂｕｐ（Ｂａｃｋｕｐ）ＶＭＧＩ領域からなるものである。また、ＶＴＳ領域１０７（１）、１０７（２）、…は、映像情報や音声情報が記録されている部分であり、ＶＴＳ領域１０７（１）、１０７（２）、…のそれぞれが識別番号を有し、別個に管理されている。
【００９８】
なお、ＶＴＳ領域１０７（１）、１０７（２）、…のそれぞれは、例えば、映画や放送番組などの製作者が視聴者に提示しようとする１つの作品の映像情報と音声情報、あるいは１つの作品を複数の部分に分けた場合の各部分の映像情報と音声情報とを１まとまりにした１タイトル分の情報を有するものである。
【００９９】
そして、ＤＶＤ−ＲＯＭ１００の最内周側に位置する読出領域１０１には、メディア種別を示す種別識別コードなど、当該メディアに関する情報が記録されており、管理データ領域１０２には、他のディスクと自ディスクとを区別する識別情報やその他必要となる情報が記録されている。
【０１００】
また、リードインエリア１０３には、再生時に読み出される情報であって、記録されている情報の開始位置情報等が記録されており、ボリューム情報領域１０４には、ＤＶＤ−ＲＯＭ１００に記録されている情報全体を識別するための情報が記録されている。また、ファイルシステム領域１０５には、ＶＭＧ情報領域１０６、ＶＴＳ領域１０７（１）、１０７（２）、…におけるデータのファイル構造などを示す情報が記録されている。
【０１０１】
そして、ＶＭＧ情報領域１０６には、例えば、ＶＭＧＩ領域に記録された情報全体を管理するための管理テーブル、各タイトルの名前を示すメニュー、それぞれのタイトル（ＶＴＳ）にアクセスするためのアクセステーブル、および、これらの情報のバックアップ情報などが記録されており、最外周側のリードアウトエリア１０８には、記録されている情報の再生を終了させる際に読み出される終了情報などが記録されている。
【０１０２】
そして、図４Ｂにおいて、論理セクタ番号（ＬＳＮ）＝０００００ｈ以前、物理セクタ番号（ＰＳＮ）＝３００００ｈ以前のエリアであって、ＤＶＤドライブ２のファームウエア制御部２１において把握可能な読出領域の種別識別コードに基づいて、ディスクの種別を判別することができる。
【０１０３】
また、論理セクタ番号（ＬＳＮ）＝０００００ｈ、物理セクタ番号（ＰＳＮ）＝３００００ｈ以前のエリアの記録層の反射信号レベルが、ＤＶＤ−ＲＯＭに比較して、ＤＶＤ−Ｒ、ＤＶＤ−ＲＷの方が数十パーセント低いことを利用し、赤色レーザーで管理データ領域１０２の情報を読み取るようにし、その読み取り信号レベル（管理データ領域１０２からの反射光のレベル）に基づいて、ＲＯＭディスクか、それ以外のディスクかを識別することもできる。
【０１０４】
このように、ＤＶＤ−ＲＯＭの場合には、最内周側の読出領域１０１の種別識別コードに基づいても、用いるＤＶＤについての種類、サイズ、単層記録ＤＶＤか２層記録ＤＶＤか、２層記録ＤＶＤである場合には、記録方式がＯＰＴ方式かＰＴＰ方式か、また、片面記録ＤＶＤか両面記録ＤＶＤか、両面記録ＤＶＤである場合には、使用しているのはＡ面かＢ面かの別（使用面の別）、赤色レーザー用のＤＶＤ−ＲＯＭか、青色レーザー用のＤＶＤ−ＲＯＭか等を判別するための情報を得ることができる。また、管理データ領域１０２からの反射光のレベルによっても、ＤＶＤ−ＲＯＭか、それ以外のディスクかを識別することもできるようにされる。
【０１０５】
［ＤＶＤ−Ｒについて］
次に、ＤＶＤ−Ｒについて説明する。図５は、ＤＶＤ−Ｒの物理フォーマットについて説明するための図である。図５Ａに示すように、ＤＶＤ−Ｒ２００は、その中央に再生機、あるいは、記録機のスピンドルモータに固定するためのセンターホールＨを有し、内周側か順に、読出領域２０１、記録可能領域ＤＤ、終端領域２０８が設けられている。
【０１０６】
記録可能領域ＤＤには、図５Ｂに示すように、内周側からビーム強度テスト領域２０２、管理データ領域２０３、リードインエリア２０４、ファイルシステム情報領域２０５、データ領域２０６、リードアウトエリア２０８、終端領域２０８が設けられる。
【０１０７】
そして、ＤＶＤ−Ｒ２００の場合にも、読出領域２０１には、メディア種別を示す種別識別コードなど、当該メディアに関する情報が記録されている。また、ビーム強度テスト領域２０２には、記録に用いられるレーザー光（レーザービーム）の強度を設定するためのテスト時にテスト情報が記録される。管理データ領域２０３には、設定されたレーザー光の強度のデータや、記録過程において保持しておく必要の生じた情報が記録するようにされる。
【０１０８】
また、リードインエリア２０４には、ＤＶＤ−Ｒ２００に記録された記録情報の再生を開始する際に読み出される開始情報などが情報の記録過程において記録するようにされている。また、ファイルシステム情報領域２０５には、記録情報のファイル構造を示す情報などが記録される。
【０１０９】
また、データ領域２０６には、画像データや音声データ等の実際の記録情報が記録され、リードアウトエリア２０７には、記録された情報の再生を終了する場合に読み出される終了情報などが画像データや音声データなどの記録情報の記録過程において記録するようにされている。
【０１１０】
そして、ＤＶＤ−Ｒ２００の場合にも、図４を用いて上述したＤＶＤ−ＲＯＭ１００の場合と同様に、論理セクタ番号（ＬＳＮ）＝０００００ｈ、物理セクタ番号（ＰＳＮ）＝３００００ｈ以前の領域の読出領域２０１に記録されている種別識別コードに基づいて、用いるＤＶＤについての種類、サイズ、記憶容量、単層記録ＤＶＤか２層記録ＤＶＤか、２層記録ＤＶＤである場合には、記録方式がＯＰＴ方式かＰＴＰ方式か、また、片面記録ＤＶＤか両面記録ＤＶＤか、両面記録ＤＶＤである場合には、使用しているのはＡ面かＢ面かの別（使用面の別）、さらに赤色レーザー用か青色レーザー用かについても判別することができるようにされる。
【０１１１】
また、管理データ領域２０３の識別情報領域２０３１に記録される識別情報に基づいて、当該ディスクがＤＶＤ−Ｒか否かを識別したり、また、管理データ量域２０３からの反射光のレベルに基づいて、ＤＶＤ−ＲＯＭか、それ以外かを識別したりすることもできるようにされる。
【０１１２】
そして、ＤＶＤ−Ｒの場合、上述したファイナライズ処理の必要な、ＤＶＤビデオフォーマットで情報が記録される場合が多いと考えられるため、ファイナライズ処理されたＤＶＤ−Ｒか否かを判別するようにもしている。図６は、ＤＶＤ−ＲにＤＶＤビデオフォーマットで画像データや音声データなどを記録するようにした場合を説明するための図である。図６において、図６Ａがファイナライズ処理前の状態を、また、図６Ｂがファイナライズ処理後の状態を示している。
【０１１３】
ＤＶＤ−ＲにＤＶＤビデオフォーマットでデータを記録する場合には、ファイナライズ処理により、ボリューム情報、ファイルシステム情報、ＶＭＧ情報といった情報を記録するための未記録状態の領域である予約領域２０５が予め設けられる。予約領域２０５より内周側には、ＤＶＤドライブ２のファームウエアによってのみ利用される読出領域２０１、ビーム強度テスト領域２０２、管理データ領域２０３、リードインエリア２０４が設けられることは、図５を用いて上述した通りである。
【０１１４】
そして、情報の記録時には、データ領域２０６に、図４を用いて上述したＤＶＤ−ＲＯＭ１００の場合と同様に、タイトル毎に、画像データや音声データのまとまりであるＶＴＳ＃１、ＶＴＳ＃２、…が記録されるとともに、管理データ量域２０３、リードインエリア２０４、リードアウトエリア２０７に必要な情報が記録するようにされる。
【０１１５】
このようにして、データの記録が終了し、例えば、ユーザからの指示により、あるいは、記録機器から当該ＤＶＤ−Ｒが取り出されるようにされた場合には、ファイナライズ処理が行なわれ、図６に示すように、データ領域２０６に記録されたデータであるＶＴＳ＃１、ＶＴＳ＃２、…に基づいて、予約領域２０５に記録される情報である、ボリューム情報、ファイルシステム情報、ＶＭＧＩ、メニューＶＯＢＳ、バックアップＶＭＧＩがＤＶＤドライブ２において形成され、これらの情報がＤＶＤ−Ｒの予約領域２０５に記録される。
【０１１６】
このファイナライズ処理を行うことにより、図４に示したＤＶＤ−ＲＯＭの物理フォーマットと同様に、ボリューム情報と、ファイルシステム情報と、ＶＭＧＩ、メニューＶＯＢＳ、バックアップＶＭＧＩからなるＶＭＧ情報とがリードインエリアとデータ領域との間に記録され、ＤＶＤ−ＲＯＭ互換ディスクとして、記録に用いた記録機とは別のＤＶＤ−ＲＯＭドライブで再生することができるようにされる。
【０１１７】
したがって、図６に示したように、リードインエリア２０４とデータ領域２０６との間に設けられる予約領域２０５に、データが記録されているか否かに応じて、ファイナライズ処理が行われているか否かを判別することが可能となる。この場合、予約領域２０５に記録されるべき、ボリューム情報、ファイルシステム情報、ＶＭＧＩ、メニューＶＯＢＳ、バックアップＶＭＧＩの全てを確認する必要はなく、例えば、ファイルシステム情報やＶＭＧＩ情報が存在するか否かを検出することにより、ファイナライズ処理が行われたか否かを判断するようにしてもよい。
【０１１８】
なお、例えば、ＤＶＤ−ＲにＤＶＤビデオフォーマットで情報を記録する場合に、ファイナライズ処理を短時間に正確に行うようにするなどのために、情報の記録時において、記録情報に基づき、ＶＭＧ情報などのファイナライズ処理において作成する情報を迅速に作成できるようにするための情報であるＴｅｍｐＶＭＧＩ（仮ＶＭＧＩ）を形成し、これをデータ領域に記録しておくようにすることも考えられる。このように、ＴｅｍｐＶＭＧＩを用いるようにした場合にも、ディスクの種別などの判別は上述したように行うことが可能である。
【０１１９】
［ＤＶＤ−ＲＷについて］
次に、ＤＶＤ−ＲＷについて説明する。図７は、ＤＶＤ−ＲＷのリードインエリアの物理構造を説明するための図である。ＤＶＤ−ＲＷの場合にも、その外観および物理フォーマットの大枠は、図５に示したＤＶＤ−Ｒの場合と同じである。
【０１２０】
すなわち、ＤＶＤ−ＲＷの場合にも、ディスクの内周側から外周側に向かって、読出領域２０１、ビーム強度テスト領域２０２、管理データ領域２０３、リードインエリア２０４、ファイルシステム情報領域２０５、データ領域２０６、リードアウトエリア２０７、終端領域２０８が設けられる。
【０１２１】
そして、ＤＶＤ−ＲＷの場合、図３を用いて概略を説明したが、図７に示すように、そのリードインエリア２０４には、イニシャルゾーン３０１、システム予約エリア３０２、ＲＷ−物理フォーマット情報領域３０３、リファレンスゾーンおよびバッファゾーン３０４、エンボスビットが記録されるコントロールデータ領域３０５を有している。
【０１２２】
そして、図３を用いて概略を説明したように、ＲＷ−物理フォーマット情報領域３０３には、適用されるＤＶＤ規格のタイプ（ＤＶＤの種類：ＤＶＤ−ＲＯＭ、ＤＶＤ−ＲＡＭ、ＤＶＤ−Ｒ、ＤＶＤ−ＲＷ等）およびパートバージョン、ディスクサイズおよび最大読出レート、ディスク構造（１層ＲＯＭ／ＲＡＭディスク、２層ＲＯＭ／ＲＡＭディスク）、記録密度、読出しパワー、ピークパワー、バイアスパワー、媒体の製造に関する諸情報等が記録されている。
【０１２３】
また、コントロールデータ領域にも、ＤＶＤ規格のタイプを示すブックタイプやディスクの層の数などの物理フォーマット情報や、媒体の製造に関する諸情報等がエンボス記録されている。
【０１２４】
これら、ＲＷ−物理フォーマット情報領域やエンボス記録されたコントロールデータ領域の情報を読み取ることにより、図３を用いて上述したように、用いるＤＶＤについての種類、サイズ、記憶容量、単層記録ＤＶＤか２層記録ＤＶＤか、２層記録ＤＶＤである場合には、記録方式がＯＰＴ方式かＰＴＰ方式か、また、片面記録ＤＶＤか両面記録ＤＶＤか、両面記録ＤＶＤである場合には、使用しているのはＡ面かＢ面かの別（使用面の別）、さらに赤色レーザー用か青色レーザー用かについても判別することができるようにされる。
【０１２５】
［バーストカッティングをメディア識別情報に使用するＤＶＤについて］
次に、ディスクの最内周側にバーストカッティング領域を設け、このバーストカッティング領域にメディア識別情報をバーストカッティングによって記録するようにしたＤＶＤ（以下、バーストカッティング領域を有するＤＶＤという）について説明する。なお、このバーストカッティング領域を有するＤＶＤ４００は、将来の青色波長レーザー対応ディスクが赤色レーザー光、青色レーザー光の両方で反射識別可能なバーストカッティングを使用した場合に対応して、青色レーザー用のＤＶＤ−ＲＯＭ、ＤＶＤ−Ｒ、ＤＶＤ−ＲＷ、赤色レーザー用のＤＶＤ−ＲＯＭ、ＤＶＤ−Ｒ、ＤＶＤ−ＲＷのいずれにも適用可能なものである。
【０１２６】
図８は、バーストカッティング領域を有するＤＶＤ４００について説明するための図である。図８Ａに示すように、バーストカッティング領域を有するＤＶＤ４００は、ディスクの最内周部分にバーストカッティング領域４０１を設けるようにしたものである。このバーストカッティング領域４０１の外側には、図８Ａに示すように、リードンインエリア（再生専用領域４０２、記録再生領域４０３）、  ユーザデータ領域４０４、リードアウトエリア４０５が設けられることになる。
【０１２７】
そして、バーストカッティング領域には、高パワーレーザー光をフォーカスレンズを介して、ＤＶＤ４００の反射層にパルス状に照射して、高パワーレーザー光を照射した部分の反射層を除去することにより、例えば、位相符号化変調（Ｐｈａｓｅ  ｅｎｃｏｄｉｎｇ  ｍｏｄｕｌａｔｉｏｎ）したストライプ状のデータが記録される。
【０１２８】
再生時においては、バーストカッティング領域に読み取り用のレーザー光を照射すると、反射層が除去された部分で反射光量が低下するので、反射光量の変化を検出し、この変化を２値化して、位相符号化復調（Ｐｈａｓｅ  ｅｎｃｏｄｉｎｇ  ｍｏｄｕｌａｔｉｏｎ）することにより、データを読み取ることができる。
【０１２９】
このように、バーストカッティング領域にディスクの種類等を識別するための識別コードをバーストカッティングにより記録しておくことにより、このバーストカッティング領域のデータを読み出すことによって、識別コードを取得し、そのディスクの種類、すなわち、ＤＶＤ−ＲＯＭ、ＤＶＤ−Ｒ、ＤＶＤ−ＲＷの内のどれであり、記録フォーマットはファイナライズ処理を必要とするフォーマットか、ファイナライズ処理済か、単層記録ＤＶＤか２層記録ＤＶＤか、片面記録ＤＶＤか両面記録ＤＶＤか、赤色レーザー用なのか青色レーザー用なのかなどを識別することができるようにされる。
【０１３０】
なお、バーストカッティング領域４０１には、図８Ｂ（ａ）に示すように、記号ＳＹで示される同期コードによって、記号ＤＡＴＡ０、ＤＡＴＡ１、…で示されるデータが記録するようにされ、さらに、読み取り率を良好に保つために、記号ＥＤＣで示されるエラー検出コード、記号ＰＡＲＩＴＹ０で示されるエラー訂正コードなどが付加されて記録される。
【０１３１】
そして、再生する場合には、図８Ｂ（ｂ）に示すように、同期コードが除去され、エラー検出コードやエラー訂正コードによって、エラー訂正されたデータ（ＤＡＴＡ０、ＤＡＴＡ１、…を抽出し、これを用いることができるようにされる。
【０１３２】
［ディスクの種別判別についてのまとめ］
以上の説明から明らかなように、ＤＶＤ−ＲＯＭ、ＤＶＲ−Ｒ、ＤＶＤ−ＲＷのいずれのディスクの場合にも、論理セクタ番号＝０００００ｈ以前の領域の読出領域、管理データ領域、あるいは、ＲＷ−物理フォーマット情報領域、コントロールデータ領域、あるいは、バーストカッティング領域に記録されている情報に基づいて、ＤＶＤ−ＲＯＭ、ＤＶＤ−Ｒ、ＤＶＤ−ＲＷの内のどれであり、単層ＤＶＤか２層ＤＶＤか、片面ＤＶＤか両面ＤＶＤか、赤色レーザー用ＤＶＤなのか、青色レーザー用ＤＶＤなのかなどを識別することができるようにされる。たがって、この判別したディスク種別をカラーＬＣＤ１２などを通じてユーザに通知することが可能である。
【０１３３】
また、ＤＶＤドライブ２においては、例えば、記録済みのデータをたどることにより、あるいは、装填されたＤＶＤディスクの所定の記録情報に基づいて、記録済み容量を検出することが可能である。また、装填されたＤＶＤの総記憶容量は、ＤＶＤの所定の領域の情報に基づいて正確に分かるので、この総記憶容量から上述のようにして得られる記録済み容量を減算することにより、当該装填されたディスクの空き容量を算出することが可能である。したがって、この空き容量をも、カラーＬＣＤ１２などを通じてユーザに通知することが可能である。
【０１３４】
さらに、ＤＶＤビデオフォーマットでデータをＤＶＤに記録した場合には、ファイナライズ処理が実行されたか否かを正確に検出することができるので、ファイナライズ処理が行われたか否かを通知することも可能である。
【０１３５】
［ディスクの種類の通知について］
そして、この実施の形態のＤＶＤデジタルビデオカメラにおいては、上述したように、ＤＶＤドライバに装填されたＤＶＤにレーザー光を照射し、そのＤＶＤからの反射光を受光することにより得られる情報に基づく、判別結果、検出結果などを、カラーＬＣＤ１２を通じてユーザに通知するようにしている。
【０１３６】
具体的には、ＤＶＤビデオフォーマットのＤＶＤ−Ｒの場合には、ファイナライズ処理済みか否か、単層片面ＤＶＤか、単層両面ＤＶＤか、２層片面ＤＶＤか、２層両面ＤＶＤか、空き容量はどれ位か、赤色レーザー用ＤＶＤか、青色レーザー用ＤＶＤかなどを通知する情報が、カラーＬＣＤ１２に表示されて、ユーザに通知される。
【０１３７】
そして、この実施の形態のＤＶＤデジタルビデオカメラのカラーＬＣＤ１２は、赤（Ｒ）、緑（Ｇ）、青（Ｂ）の３原色の色フィルタ、あるいは、赤（Ｒ）、緑（Ｇ）、青（Ｂ）の３原色の発光体を有するものである。したがって、長波長域（波長：６００ｎｍ〜７８０ｎｍ、橙、赤といった赤色光）、中波長域（波長：５００ｎｍ〜６００ｎｍ、緑、黄といった緑色光）、短波長域（波長：３８０ｎｍ〜５００ｎｍ、青紫、藍、青といった青色光）の表現が可能なものである。
【０１３８】
そこで、赤色レーザー用のＤＶＤである場合には、これを長波長域の赤色光の色表示により通知するようにし、また、青色レーザー用のＤＶＤである場合には、これを短波長域の青色光の色表示により通知するようにする。つまり、単に赤の表示、青の表示というのではなく、長波長域の色表示、短波長域の色表示により、ユーザに対して、この実施の形態のＤＶＤデジタルビデオカメラに装填されているＤＶＤが、赤色レーザー用なのか、青色レーザー用なのかを視覚を通じて迅速かつ正確に、また、視認性よく通知することができるようにしている。
【０１３９】
もちろん、用いるレーザー光の種別だけでなく、空き容量表示やファイナライズの有無についても、できるだけ単純な表示で、ユーザが考えることなく直感的に、しかも正確に認識できるようにしている。
【０１４０】
図９、図１０は、ディスクの種別、空き容量、ファイナライズ有無などを通知する表示の一例を説明するための図である。図９Ａに示すように、カラーＬＣＤ１２の例えば右上端部分などに媒体情報表示アリアＧを設け、ここに例えば、使用するＤＶＤの記録済み容量と空き容量とを示す円グラフの形式の容量表示Ｇ１、ファイナライズ済み表示Ｇ２、記録可能時間表示Ｇ３、未ファイナライズ表示Ｇ４を表示するようにする。
【０１４１】
この場合、図９Ｂに示すように、用いるＤＶＤが赤色レーザー用のものであると判別した場合には、記録済容量に対応する記録済容量表示Ｇ１１は濃い赤色で表示し、空き容量に対応する空き容量表示Ｇ１２は薄い赤色で表示する。また、空き容量に応じて、記録可能時間表示Ｇ３を表示することにより、ユーザは、後どれ位の記録が可能であるかを明確に知ることができる。
【０１４２】
また、用いるＤＶＤがＤＶＤ−Ｒである場合には、ＤＶＤビデオフォーマットでデータが記録されると判断し、ファイナライズ処理済みであれば、図９Ａに示したように、容量表示Ｇ１と記録可能時間表示Ｇ３とを分断するように、ファイナライズ済表示Ｇ２を表示するようにし、ファイナライズ処理が終了していることを示すようにする。
【０１４３】
また、用いるＤＶＤがＤＶＤ−Ｒである場合であって、ファイナライズ処理済みでない場合には、図９Ｃに示すように、容量表示Ｇ１の例えば左側に未ファイナライズ表示Ｇ４を表示するようにすることにより、ファイナライズ処理は行われていないことを通知することができる。
【０１４４】
なお、ファイナライズ済表示Ｇ２、未ファイナライズ表示Ｇ４も、用いられるＤＶＤが赤色レーザー用のものであると判別された場合には、赤色で表示するようにしてもよい。もちろん、赤色で表示することなく、他の色の表示でもよい。
【０１４５】
また、図９Ｃに示すように、第１タイトル記録済時間表示Ｇ１１１、さらに、もし存在する場合には第２タイトル記録済時間表示Ｇ１１２を表示するようにしてもよい。この場合、第１タイトル記録済時間表示Ｇ１１１、１１１と第２タイトル記録済時間表示Ｇ１１２と、空き容量表示Ｇ１２の表示は、用いるＤＶＤが赤色レーザー用のＤＶＤであるときには、赤色で表示するようにするが、その濃淡を変えたり、あるいは、赤色でも色合いを変えたりすることによって、区別できるように表示することができる。
【０１４６】
また、図９Ａ、Ｂ、Ｃに示すように、容量表示Ｇ１の下側には、計算式（残量データ量÷圧縮伸張部においての選択された圧縮モードでの平均ビットレート）で、およその残り記録可能時間を算出し、これを記録可能時間表示Ｇ３として表示するようにする。この記録可能時間表示Ｇ３をも、赤色ＤＶＤの場合には、赤色表示で行うようにしてもよい。もちろん他の色で表示するようにしてもよい。
【０１４７】
また、ここでは、用いるＤＶＤが赤色レーザー用ＤＶＤであると検出された場合を例にして説明した。しかし、用いるＤＶＤが青色レーザー用ＤＶＤであると検出された場合には、記録済容量表示Ｇ１１、空き容量表示Ｇ１２、第１タイトル表示Ｇ１１１、第２タイトル表示Ｇ１１２、ファイナライズ済表示Ｇ２、未ファイナライズ表示Ｇ４、記録可能時間表示Ｇ３を青色で、濃淡や色合いを変えて表示する。
【０１４８】
このようにすることによって、媒体情報通知エリアＧに表示される画像の表示色によって、用いるＤＶＤが、赤色レーザー用ＤＶＤなのか、青色レーザー用ＤＶＤなのかをユーザに明確に通知することができる。もちろん、記録済容量表示Ｇ１１、空き容量表示Ｇ１２、第１タイトル表示Ｇ１１１、第２タイトル表示Ｇ１１２、ファイナライズ済表示Ｇ２、未ファイナライズ表示Ｇ４、記録可能時間表示Ｇ３の全部を用いるＤＶＤが赤色レーザー用か青色レーザー用かに応じて、表示色を変える必要はない。少なくとも必ず表示される容量表示Ｇ１をＤＶＤが赤色レーザー用か青色レーザー用かに応じて表示色を変えるようにすればよい。
【０１４９】
このように、用いるＤＶＤが、赤色レーザー用か青色レーザー用かについては、色を用いてユーザに対し通知することができるようにされる。また、使用済容量、空き容量、あるいは、第１タイトル、第２タイトルの記憶容量などは図形表示によって、視認性よくユーザに通知することができる。
【０１５０】
また、用いるＤＶＤが片面の２層記録用のものである場合には、例えば、容量表示Ｇ１の右側半分を１層目の容量表示に用い、左側半分を２層目の容量表示に用いるようにすることもできる。もちろん、容量表示Ｇ１の上側半分を１層目の容量表示に用い、下側半分を２層目の容量表示に用いるようにしてもよい。
【０１５１】
また、用いる記録媒体が両面１層記録の場合には、例えば、容量表示Ｇ１の上側半分をＡ面（第１面）の容量表示に用い、下側半分をＢ面（第２面）の容量表示に用いるようにすればよい。もちろん、容量表示Ｇ１の右側半分をＡ面（第１面）の容量表示に用い、左側半分をＢ面（第２面）の容量表示に用いるようにしてもよい。また、例えば、容量表示Ｇ１の右側半分をＡ面の容量表示に用い、左側半分をＢ面の容量表示に用いるようにしてもよい。
【０１５２】
また、用いる記録媒体が両面２層記録の場合には、例えば、容量表示Ｇ１の上側半分をＡ面（第１面）の容量表示に用い、その上側半分の部分のさらに半分ずつをＡ面の１層目の容量表示と、２層目の容量表示に用いるようにする。また、下側半分をＢ面（第２面）の容量表示に用い、その下側半分の部分のさらに半分ずつをＢ面の１層目の容量表示と、２層目の容量表示に用いるようにする。また、例えば、容量表示Ｇ１の右側半分をＡ面の容量表示に用い、左側半分をＢ面の容量表示に用いるようにしてもよい。
【０１５３】
また、２層ＤＶＤ、両面ＤＶＤの場合には、２つの円グラフ形式の容量表示を設け、円グラフ形式の異なる容量表示によって、１層目と２層目、あるいは、Ａ面とＢ面とを区別して表示するようにしてもよい。
【０１５４】
なお、媒体情報通知エリアＧは、カラーＬＣＤ１２の表示画面の右上端部に限ることなく、カラーＬＣＤ１２の表示画面上の適宜の位置、例えば、左上端部、右下端部、左下端部等の適宜の位置に設けることができる。
【０１５５】
図１０は、容量表示を円グラフの形式ではなく、棒状の表示（バー表示）によって行うようにした場合の例を説明するための図である。この場合には、例えば、図１０Ａに示すように、カラーＬＣＤ１２の表示画面の右下端部分に媒体情報通知エリアＧＧを設け、ここに容量表示ＧＧ１、記録可能時間表示ＧＧ２を表示するようにする。
【０１５６】
この場合、用いるＤＶＤが２層記録のものである場合には、図１０Ａあるいは、図１０Ｂに示すように、容量表示ＧＧ１として、第１層目の容量表示ＧＧ１１と、第２層目の容量表示ＧＧ１２とをカラーＬＣＤ１２の横方向に並べて表示するようにする。
【０１５７】
そして、図１０Ａ、Ｂの場合には、第１層目（Ｌａｙｅｒ０）が記録済であり、第２層目（Ｌａｙｅｒ１）が記録途中であることを示している。この図１０Ａ、Ｂに示す態様の図形表示の場合には、特に、第１層と第２層とにおいて、データがＯＴＰ記録される場合には、これをユーザが直感的に認識しやすい態様で通知することができる。
【０１５８】
また、用いるＤＶＤが２層記録の場合には、図１０Ｃに示すように、容量表示ＧＧ１として、第１層目の容量表示ＧＧ１１と、第２層目の容量表示ＧＧ１２とをカラーＬＣＤの上下方向に並べて表示するようにする。そして、図１０Ｃの場合には、第１層目（Ｌａｙｅｒ０）が記録済であり、第２層目（Ｌａｙｅｒ１）が記録途中であることを示している。
【０１５９】
この図１０Ｃに示す態様の図形表示の場合には、特に、第１層と第２層とにおいて、データがＰＴＰ記録される場合には、例えば、第２層を映像音声またはデータのアフレコ記録に使用することが多いが、このような場合を、ユーザに対して、直感的に認識しやすい態様で通知することができる。
【０１６０】
また、用いるＤＶＤが両面の２層記録の場合には、図１０Ｄに示すように、容量表示ＧＧ１として、Ａ面の第１層目の容量表示ＡＧＧ１１と、Ａ面の第２層目の容量表示ＡＧＧ１２とを横方向に並べて表示するようにするとともに、Ｂ面の第１層目の容量表示ＢＧＧ１１と、Ｂ面の第２層目の容量表示ＢＧＧ１２とを横方向に並べて表示するようにする。そして、これら、Ａ面についての表示と、Ｂ面についての表示とを上下方向に並べて表示するようにする。
【０１６１】
図１０Ｄにおいて、Ａ面、Ｂ面とも第１層目（Ｌａｙｅｒ０）が記録済であり、第２層目（Ｌａｙｅｒ１）が記録途中であることを示している。この図１０Ｄに示す態様の図形表示の場合には、特に、第１層と第２層とにおいて、データがＰＴＰ記録される場合には、第２層を映像音声またはデータのアフレコ記録に使用することができるようにされ、ユーザにとっては、ディスクの空き容量を直感的、認識しやすい態様で通知することができる。
【０１６２】
また、図１０Ｄに示すように、当該記録媒体にはＤＶＤデジタルフォーマットでデータが記録するようにされた場合には、ファイナライズ済表示ＧＧ２を表示したり、また、図示しないが、ファイナライズ済表示ＧＧ２とは異なる位置、例えば、容量表示ＧＧ１の上側、左側、右側といった位置に未ファイナライズ表示ＧＧ４を表示したりすることもできる。
【０１６３】
なお、この図１０に示した例の場合にも、媒体情報通知エリアＧＧは、カラーＬＣＤ１２の表示画面の右下端部に限ることなく、カラーＬＣＤ１２の表示画面上の適宜の位置、例えば、左上端部、左下端部、右上端部等の適宜の位置に設けることができる。
【０１６４】
また、用いるＤＶＤが、ＤＶＤ−ＲＯＭの場合には、そもそもデータは記録できないのでファイナライズ処理が行われることはなく、また、ＤＶＤ−ＲＷの場合には、ＤＶＤビデオレコーディングフォーマットが用いられることが多く、ファイナライズ処理を行う必要もないので、図９Ｂや図１０Ａ、Ｂ、Ｃに示したように、ファイナライズ済表示や未ファイナライズ表示画表示されない表示態様となる。
【０１６５】
また、この図１０の表示態様の場合にも、例えば図１０Ａに示すように、記録可能時間表示を行うようにすることもできる。この場合の記録可能時間は、上述もしたように、計算式（残量データ量÷選択された圧縮モードでの平均ビットレート）でのおよその残り記録可能時間を計算することができる。
【０１６６】
また、ＤＶＤ−ＲＯＭの場合には、データの追加記録はできないので、容量表示Ｇ１は、演奏済み容量表示と残り演奏容量とからなる演奏チャプタ表示となり、記録可能時間表示Ｇ３は、演奏残り時間表示となる。
【０１６７】
また、図９、図１０において、記録容量表示、空き容量表示のそれぞれは、（記録済容量÷総記憶容量）、あるいは、（空き容量÷総記憶容量）で得られる値に基づいて表示するようにすればよく、計算結果についても、例えば１０％単位切り上げで得られる値を用いるようにするなどのことが可能である。
【０１６８】
また、この図１０に示した表示態様の場合にも、用いるＤＶＤが赤色レーザー用か、青色レーザー用かに応じて、表示色を赤色帯域と青色帯域とに分けて表示するようにすることによって、用いるＤＶＤが赤色レーザー用か、青色レーザー用かを視認性よく通知することができる。
【０１６９】
また、図９に示した容量表示Ｇ１のたとえば中心部分などの一部分を、用いるＤＶＤが赤色レーザー用か青色レーザー用かに応じて色分けするようにしたり、あるいは、図９、図１０に示した媒体情報通知エリアＧ、ＧＧの背景を用いるＤＶＤが赤色レーザー用か青色レーザー用かに応じて色分けするようにしてもよい。
【０１７０】
また、用いるＤＶＤが赤色レーザー用である場合には“Ｒｅｄ”、“赤”、“Ｒ”等の文字を表示し、青色レーザー用である場合には、“Ｂｌｕｅ”、“青”、“Ｂ”等の文字を表示して、ユーザに通知するようにしてもよい。
【０１７１】
この他、カラーＬＣＤ１２の表示エリアの縁部分を用いるＤＶＤが赤色レーザー用か青色レーザー用かに応じて赤色帯域の表示色や青色帯域の表示色で縁取りしたりするなど、カラーＬＣＤ１２のいずれかの部分に用いるＤＶＤが赤色レーザー用か青色レーザー用かに応じた色表示を行うようにしてもよい。
【０１７２】
すなわち、図９、図１０に示したように、図形や絵の色を変えることにより、あるいは、文字や記号により、用いるＤＶＤが赤色レーザー用か青色レーザー用かを明確に通知するようにする。もちろん、文字や記号をＤＶＤが赤色レーザー用か青色レーザー用かに応じて異なる色で表示するようにしてもよい。
【０１７３】
また、図形、絵、文字、記号に色を施す場合には、用いるレーザー光の波長と同一の波長の色を用いてもよいが、例えば、用いるＤＶＤが赤色レーザー用の場合には、上述もしたように、赤色帯域の色（長波長域（波長：６００ｎｍ〜７８０ｎｍ、橙、赤といった赤色光））を用い、用いるＤＶＤが青色レーザー用の場合には、青色帯域の（短波長域（波長：３８０ｎｍ〜５００ｎｍ、青紫、藍、青といった青色光））を用いるようにすればよい。すなわち、ユーザが一見して用いるＤＶＤが赤色レーザー用か青色レーザー用かを認識できる色を用いるようにすればよい。
【０１７４】
また、記録媒体情報表示領域Ｇ、ＧＧへの情報の表示は、ユーザからの指示に応じて、表示したり、表示しないようにしたりすることができるようにされる。これによって、必要なときに、ユーザはいつでもＤＶＤデジタルビデオカメラに装填されたＤＶＤについての情報を知ることができるようにされる。
【０１７５】
このように、この実施の形態のＤＶＤデジタルビデオカメラにおいては、自機に装填されたＤＶＤについての種々の情報を取得し、ユーザに対して視認性よく通知することができるようにされる。
【０１７６】
［ＤＶＤデジタルビデオカメラの具体的な動作について］
次に、上述したように、この実施の形態のＤＶＤデジタルビデオカメラにおいて行われるディスクに関する情報（媒体情報）を通知する場合の処理について、図１１〜図１８を参照しながら説明する。図１１のフローチャートは、例えば、この実施の形態のＤＶＤデジタルビデオカメラにＤＶＤが装填された場合に行なわれる媒体情報の通知処理を説明するためのものである。
【０１７７】
上述もしたように、この実施の形態のＤＶＤデジタルビデオカメラにおいて、情報処理部１とＤＶＤドライブ２とは、Ｍｔ．Ｆｕｊｉマルチメディアコマンドセットを実装するＡＴＡＰＩインターフェースで接続されている。このため、ＤＶＤが装填された場合には、情報処理部１のドライブ制御部１６は、ＴｅｓｔＵｎｉｔＲｅａｄｙ（００ｈ）のコマンドを発し、続いてＲｅｑｕｅｓｔＳｅｎｓｅによってドライブにメディアがチャッキングされ、スピンドルモータの回転が開始されたか否かを確認する。
【０１７８】
情報処理部１が、装填されたＤＶＤがチャッキングされ回転が開始されたことを確認すると、ドライブ制御部１６は、一連のドライブ設定のコマンド発行のあと、ＲｅａｄＤＶＤＳｔｒｕｃｔｕｒｅ（コマンドコードＡＤｈ）パケットコマンドを発行し、論理セクタ番号＝０００００ｈ以前の領域のデータを読み出すように指示を出し、これに応じて、ＤＶＤドライブ２のファームウエア制御部２１が、光ヘッド部２７、ディスク検出部２８を制御して、論理セクタ番号＝０００００ｈ以前の領域のデータを読み出すようにする（ステップＳ１）。そして、ＤＶＤドライブ２のファームウエア制御部２１において、ＤＶＤから読み出されたデータに基づいて一連のメディア種別の判別処理を実行する（ステップＳ２）。
【０１７９】
なお、ステップＳ１の処理で読み出すようにされる装填されたＤＶＤの論理セクタ番号＝０００００ｈ以前の領域のデータは、映像データや音声データ等のユーザデータとは異なり、情報処理部１のシステム制御部１８が直接読み取るようにすることができないデータであって、ＤＶＤドライブ２側において管理するようにされるものである。
【０１８０】
そして、ＤＶＤドライブ２のファームウエア制御部２１において、ＤＶＤについての一連の種別の判別処理を行うと、その判別結果に基づいて、その判別結果を情報処理部１に通知するための応答のデータページをＤＶＤドライブ２のパケットデバイス情報部２３に構成し、ホストＩ／Ｆ部２２を通じて、情報処理部１に通知し、この結果に基づいて、情報処理部１において、ＤＶＤについての種類などの判別表示処理を行うようにする（ステップＳ３）。
【０１８１】
このステップＳ３における処理を具体的に説明すると以下のようになる。ＤＶＤドライブ２にけるステップＳ２おいてのディスクの種別の判別が終了すると、その判別結果に基づいて、パケットデバイス情報部２３がパケットコマンド応答のデータページをパケットデバイス情報部２３に構成し、これをホストＩ／Ｆ部２２を介して情報処理部１のシステム制御部１８に返すようにしてくる。
【０１８２】
この場合、パケットデバイス情報部２３は、例えば、上述したＭｔ．Ｆｕｊｉマルチメディアコマンドセットにおいて規定されているＴａｂｌｅ２９７−ＲＥＡＤ  ＤＶＤ  ＳＴＲＵＣＴＵＲＥ  Ｄａｔａ  Ｆｏｒｍａｔに従って応答データページを構成するので、この構成されたデータページを情報処理部１のシステム制御部１８がドライブ制御部１６を介して参照することになる。
【０１８３】
すなわち、ホストシステムである情報処理部１のシステム制御部１８は、ドライブ制御部１６を介して、上述したように、パケットデバイス情報部２３に保持される情報であって、上述したＭｔ．Ｆｕｊｉマルチメディアコマンドセットにおいて規定されているＴａｂｌｅ２９７−ＲＥＡＤ  ＤＶＤ  ＳＴＲＵＣＴＵＲＥ  Ｄａｔａ  Ｆｏｒｍａｔ（Ｗｉｔｈ  Ｆｏｒｍａｔ  Ｆｉｅｌｄ＝００ｈ）を参照し、先頭側の５バイト目から始まるＤＶＤリードインストラクチャの応答データの最初のバイト列のフィールドのブックタイプなどの情報を読み出して、ＤＶＤの種別などの判別結果を得る。
【０１８４】
ブックタイプは、上述もしたように、００００ｂはＤＶＤ−ＲＯＭ、０００１ｂはＤＶＤ−ＲＡＭ、００１０ｂはＤＶＤ−Ｒ、００１１ｂはＤＶＤ−ＲＷ、１００１ｂはＤＶＤ＋ＲＷ、その他のフィールド値は現在、予約になっているが、ここのＯｔｈｅｒｓタイプの予約（Ｒｅｓｅｒｖｅｄ）されている一つの値でＤＶＤブルーディスクであることを示すようにすれば、赤色レーザー用だけなく、青色レーザー用のディスクについても対処可能となる。そして、取得した判別結果に基づいて、これを図９あるいは図１０を用いて説明した表示態様で表示してユーザに通知する。
【０１８５】
そして、ステップＳ３のディスク判別表示処理は、図１１にも示すように、また、詳しくは後述もするように、（１）赤色レーザー用／青色レーザー用（Ｒｅｄ／Ｂｌｕｅ）の切り換え処理、（２）記録型ＤＶＤ／ＤＶＤ−ＲＯＭの切り換え処理、（３）単層ＤＶＤ／２層ＤＶＤの切り換え処理、（４）２層ＤＶＤである場合には、ＯＴＰ／ＴＰＴの切り換え処理、（５）片面ＤＶＤ／両面ＤＶＤの切り換え処理、（６）両面ＤＶＤの場合には、使用面がＡ面かＢ面かの切り換え処理、（７）選択ファイルシステムの切り換え処理、（８）ファイルシステムとして、ＤＶＤビデオフォーマットを用いる場合には、ファイナライズ処理の有無の切り換え処理のそれぞれと、それらの情報の表示処理とが行うようにされる。そして、ステップＳ３の処理の後、この図１１に示す処理は終了する。
【０１８６】
なお、図１１に示したディスクについての情報を通知する処理は、ディスクが装填された場合だけでなく、例えば、当該ＤＶＤデジタルビデオカメラに電源が投入された場合であって、何らかのＤＶＤが既に装填されている場合に自動的に行うようにしてもよい。もちろん、その他の適宜のタイミングで自動的に行うようにしてもよい。
【０１８７】
また、ユーザＩ／Ｆ部２０を通じてディスクについての情報を通知する処理を行うことの指示を受けた適宜のタイミングで、図１１に示したディスクについての情報を通知する処理を行うようにすることもできる。
【０１８８】
［ディスク種別判別処理について］
次に、図１１に示した処理のステップＳ２において行われるディスク種別を判別する処理について詳細に説明する。図１２は、図１１のステップＳ２において行われるディスク種別判別処理を説明するためのフローチャートである。
【０１８９】
上述もしたように、ＤＶＤドライブ２は、情報処理部２からＲｅａｄＤＶＤＳｔｒｕｃｔｕｒｅ（コマンドコードＡＤｈ）パケットコマンドを受け付けて、論理セクタ番号＝０００００ｈより前のデータ（リードインエリアを含み、それよりも内周側に記録されているファームウエア用データ）を読み出し、この読み出したデータに基づいて、ＤＶＤドライブ２のファームウエア制御部２１が、図１２に示すディスク種別判別処理を開始する。
【０１９０】
この図１２に示す処理においては、装填されたＤＶＤの論理セクタ番号＝０００００ｈ以前の領域から読み出されたデータに基づいて、ＤＶＤ−ＲＯＭか否か（ステップＳ２１）、赤色レーザー用か否か（ステップＳ２２）、ＤＶＤ−ＲＷか否か（ステップＳ２３）、２層ＤＶＤか否か（ステップＳ２４）、２層ＤＶＤであるときには、ＯＴＰ記録方式か否か（ステップＳ２５）、両面記録ＤＶＤか否か（ステップＳ２６）、両面記録ＤＶＤか否か（ステップＳ２７）のそれぞれの判別を行う。
【０１９１】
そして、ファームウエア制御部２１は、ステップＳ２１の判別処理において、装填されたＤＶＤがＤＶＤ−ＲＯＭであると判別した時には、ステップＳ２１の判別結果の格納エリア（結果１）に判別結果が「真」であることを示すデータを格納する（ステップＳ２１Ａ）。また、ステップＳ２１の判別処理において、装填されたＤＶＤがＤＶＤ−ＲＯＭではないと判別した場合には、ステップＳ２１の判別結果の格納エリア（結果１）に判別結果が「偽」であることを示すデータを格納する（ステップＳ２１Ｂ）。
【０１９２】
また、ファームウエア制御部２１は、ステップＳ２２の判別処理において、装填されたＤＶＤが赤色レーザー用のＤＶＤであると判別した時には、ステップＳ２２の判別結果の格納エリア（結果２）に判別結果が「真」であることを示すデータを格納する（ステップＳ２２Ａ）。また、ステップＳ２２の判別処理において、装填されたＤＶＤが赤色レーザー用のＤＶＤではないと判別した場合には、ステップＳ２２の判別結果の格納エリア（結果２）に判別結果が「偽」であることを示すデータを格納する（ステップＳ２２Ｂ）。
【０１９３】
また、ファームウエア制御部２１は、ステップＳ２３の判別処理において、装填されたＤＶＤがＤＶＤ−ＲＷであると判別した時には、ステップＳ２３の判別結果の格納エリア（結果３）に判別結果が「真」であることを示すデータを格納する（ステップＳ２３Ａ）。また、ステップＳ２３の判別処理において、装填されたＤＶＤがＤＶＤ−ＲＷではないと判別した場合には、ステップＳ２３の判別結果の格納エリア（結果３）に判別結果が「偽」であることを示すデータを格納する（ステップＳ２３Ｂ）。
【０１９４】
また、ファームウエア制御部２１は、ステップＳ２４の判別処理において、装填されたＤＶＤがＤＶＤ−ＲＷではないと判別した場合には、ステップＳ２４の判別結果の格納エリア（結果４）に判別結果が「偽」であることを示すデータを格納する（ステップＳ２４Ａ）。また、装填されたＤＶＤが２層記録ＤＶＤであると判別した時には、ステップＳ２４の判別結果の格納エリア（結果４）に判別結果が「真」であることを示すデータを格納し（ステップＳ２４Ｂ）、ステップＳ２５の判別処理を行う。
【０１９５】
ステップＳ２５の判別処理において、ファームウエア制御部２１が、装填されたＤＶＤがＯＴＰ記録方式のＤＶＤであると判別した時には、ステップＳ２５の判別結果の格納エリア（結果５）に判別結果が「真」であることを示すデータを格納する（ステップＳ２５Ａ）。また、ステップＳ２５の判別処理において、装填されたＤＶＤがＯＴＰ記録方式のＤＶＤではないと判別した場合には、ステップＳ２５の判別結果の格納エリア（結果５）に判別結果が「偽」であることを示すデータを格納する（ステップＳ２５Ｂ）。
【０１９６】
さらに、ファームウエア制御部２１は、ステップＳ２６の判別処理において、装填されたＤＶＤが両面記録ＤＶＤではないと判別した場合には、ステップＳ２６の判別結果の格納エリア（結果６）に判別結果が「偽」であることを示すデータを格納する（ステップＳ２６Ａ）。また、装填されたＤＶＤが両面記録ＤＶＤであると判別した時には、ステップＳ２６の判別結果の格納エリア（結果６）に判別結果が「真」であることを示すデータを格納し（ステップＳ２６Ｂ）、ステップＳ２７の判別処理を行う。
【０１９７】
ステップＳ２７の判別処理において、ファームウエア制御部２１が、装填されたＤＶＤの使用面がＡ面（サイドＡ）であると判別した時には、ステップＳ２７の判別結果の格納エリア（結果７）に判別結果が「真」であることを示すデータを格納する（ステップＳ２７Ａ）。また、ステップＳ２７の判別処理において、装填されたＤＶＤ使用面がＡ面（サイドＡ）ではないと判別した場合には、ステップＳ２７の判別結果の格納エリア（結果７）に判別結果が「偽」であることを示すデータを格納する（ステップＳ２７Ｂ）。
【０１９８】
このようにして得られる結果１（ＤＶＤ−ＲＯＭか否かを示す情報）、結果２（赤色レーザー用のＤＶＤか否かを示す情報）、結果３（ＤＶＤ−ＲＷか否かを示す情報）、結果４（２層記録ＤＶＤか否かを示す情報）、結果５（ＯＴＰ記録方式のＤＶＤか否かを示す情報）、結果６（両面記録ＤＶＤか否かを示す情報）、結果７（使用面がＡ面か否かを示す情報）を得て、情報処理部１のシステム制御部１８によって行うようにされる図１１に示したステップＳ３の処理により、この実施の形態のＤＶＤデジタルビデオカメラに装填されたＤＶＤについての情報がカラーＬＣＤ１２に表示される。
【０１９９】
［装填されたＤＶＤについての情報の表示処理について］
そして、図１２に示した処理により得られる結果１〜結果７に基づいて、図１１に示したステップＳ３の処理により、装填されたＤＶＤについての情報の表示が行われる。ここでは、例えば、図１３に示すディスク種別判別テーブルに基づいて装填されたＤＶＤについての種々の情報を認識して、その情報を表示することになる。
【０２００】
すなわち、図１３Ａに示すように、ステップＳ２２の判別処理の結果得られる結果２のデータが、「真」を示すものであるときには、装填されたＤＶＤは赤色レーザー用のＤＶＤであると分かるし、結果２のデータが「偽」を示すものであるときには、装填されたＤＶＤは青色レーザー用のＤＶＤであると分かる。
【０２０１】
また、図１３Ａにおいて、（１）、（４）の欄に示すように、ステップＳ２１の判別処理の結果得られる結果１のデータが、「真」を示すものであるときには、装填されたＤＶＤはＤＶＤ−ＲＯＭであると分かる。
【０２０２】
また、図１３Ａにおいて、（３）、（６）の欄に示すように、ステップＳ２１の判別処理の結果得られる結果１のデータが、「偽」を示すものであり、ステップＳ２３の判別処理の結果得られる結果３のデータが「真」を示すものであるときには、装填されたＤＶＤはＤＶＤ−ＲＷであると分かる。
【０２０３】
また、図１３Ａにおいて、（２）、（５）の欄に示すように、ステップＳ２１の判別処理の結果得られる結果１のデータが、「偽」を示すものであり、ステップＳ２３の判別処理の結果得られる結果３のデータも「偽」を示すものであるときには、装填されたＤＶＤは、ＤＶＤ−ＲＯＭでもＤＶＤ−ＲＷでもないので、ＤＶＤ−Ｒであると分かる。
【０２０４】
さらに、図１３Ｂにおいて、（７）の欄に示すように、ステップＳ２４の判別処理の結果得られる結果４のデータが「偽」を示すものであるときには、装填されたＤＶＤは単層記録のＤＶＤであると分かる。
【０２０５】
また、図１３Ｂにおいて、（８）の欄に示すように、ステップＳ２４の判別処理の結果得られる結果４のデータが、「真」を示すものであり、ステップＳ２５の判別処理の結果得られる結果５のデータが「偽」を示すものであるときには、装填されたＤＶＤは、２層記録ＤＶＤであって、ＰＴＰ記録方式でデータが記録されるものであると分かる。
【０２０６】
また、図１３Ｂにおいて、（９）の欄に示すように、ステップＳ２４の判別処理の結果得られる結果４のデータが、「真」を示すものであり、ステップＳ２５の判別処理の結果得られる結果５のデータも「真」を示すものであるときには、装填されたＤＶＤは、２層記録ＤＶＤであって、ＯＰＴ記録方式でデータが記録されるものであると分かる。
【０２０７】
また、図１３Ｃにおいて、（１０）の欄に示すように、ステップＳ２６の判別処理の結果得られる結果６のデータが「偽」を示すものであるときには、装填されたＤＶＤは片面記録のＤＶＤであると分かる。
【０２０８】
また、図１３Ｃにおいて、（１１）の欄に示すように、ステップＳ２６の判別処理の結果得られる結果６のデータが、「真」を示すものであり、ステップＳ２７の判別処理の結果得られる結果７のデータが「偽」を示すものであるときには、装填されたＤＶＤは、両面記録ＤＶＤであって、現在の使用面がＢ面となるように装填されていると分かる。
【０２０９】
また、図１３Ｃにおいて、（１２）の欄に示すように、ステップＳ２６の判別処理の結果得られる結果６のデータが、「真」を示すものであり、ステップＳ２５の判別処理の結果得られる結果７のデータも「真」を示すものであるときには、装填されたＤＶＤは、両面記録ＤＶＤであって、現在の使用面がＡ面となるように装填されていると分かる。
【０２１０】
なお、図１３において、−の印は、判別不要であってＤｏｎ‘ｔ  Ｃａｒｅであることを示している。
【０２１１】
［ディスク判別表示処理について］
そして、図１３に示したディスク種別判別テーブルに基づいて装填されたＤＶＤについての種々の情報を認識して、その情報を表示することになる。具体的には、情報処理部１のシステム制御部１８において、図１４〜図１８のフローチャートに示す処理が行われることになる。以下、図１４〜図１８に示す各処理について説明する。
【０２１２】
図１４は、図１１に示した処理のステップＳ３において行われる（１）赤色レーザー用／青色レーザー用（Ｒｅｄ／Ｂｌｕｅ）の切り換え処理を説明するための図である。情報処理部１のシステム制御部１８は、まず、図１３に示したディスク種別判別テーブルを用いて説明したように、図１２に示したステップＳ２２の判別処理の結果得られる結果２が示す情報に基づいて、装填されたＤＶＤは、赤色レーザー用のものか否かを判別する（ステップＳ１０１）。
【０２１３】
ステップＳ１０１の判別処理において、赤色レーザー用ＤＶＤであると判別したときには、ビデオ／オーディオＩ／Ｆ１３を制御して、赤色波長域（赤色帯域の色（長波長域（波長：６００ｎｍ〜７８０ｎｍ、橙、赤といった赤色光）））の色を用いて媒体情報表示領域の表示を行うように切り換える（ステップＳ１０２）。
【０２１４】
また、ステップＳ１０１の判別処理において、赤色レーザー用ＤＶＤではないと判別したときには、ビデオ／オーディオＩ／Ｆ１３を制御して、青色波長域（青色帯域の（短波長域（波長：３８０ｎｍ〜５００ｎｍ、青紫、藍、青といった青色光）））の色を用いて媒体情報表示領域の表示を行うように切り換える（ステップＳ１０３）。そして、ステップＳ１０２、ステップＳ１０３の処理の後、この図１４に示す処理を終了する。
【０２１５】
図１５は、図１１に示した処理のステップＳ３において行われる（２）記録型ＤＶＤ／ＤＶＤ−ＲＯＭの切り換え処理を説明するための図である。情報処理部１のシステム制御部１８は、まず、図１３に示したディスク種別判別テーブルを用いて説明したように、図１２に示したステップＳ２１の判別処理の結果得られる結果２が示す情報に基づいて、装填されたＤＶＤは、ＤＶＤ−ＲＯＭか否かを判別する（ステップＳ１１１）。
【０２１６】
ステップＳ１１１の判別処理において、ＤＶＤ−ＲＯＭであると判別したときには、当該装填されたＤＶＤ−ＲＯＭにはデータの記録はできないので、演奏チャプタと演奏残り時間とを表示するように切り換える（ステップＳ１１２）。また、ステップＳ１１１の判別処理において、ＤＶＤ−ＲＯＭではないと判別したときには、ビデオ／オーディオＩ／Ｆ１３を制御して、図９、図１０を用いて説明したように、記録済容量、空き容量、記録可能時間などからなる容量表示を行うように切り換える（ステップＳ１１３）。そして、ステップＳ１１２、ステップＳ１１３の処理の後、この図１５に示す処理を終了する。
【０２１７】
図１６は、図１１に示した処理のステップＳ３において行われる（３）単層ＤＶＤ／２層ＤＶＤの切り換え処理、および、（４）ＯＴＰ／ＴＰＴの切り換え処理を説明するための図である。情報処理部１のシステム制御部１８は、まず、図１３に示したディスク種別判別テーブルを用いて説明したように、図１２に示したステップＳ２４の判別処理の結果得られる結果４が示す情報に基づいて、装填されたＤＶＤは、２層記録ＤＶＤか否かを判別する（ステップＳ１２１）。
【０２１８】
ステップＳ１２１の判別処理において、２層記録ＤＶＤではないと判別したときには、ビデオ／オーディオＩ／Ｆ部１３を制御して、記録媒体情報通知エリアに単層ＤＶＤであることを示す図形を用いて、記録媒体に関する情報を表示するように切り換える（ステップＳ１２２）。
【０２１９】
また、ステップＳ１２１の判別処理において、２層記録ＤＶＤであると判別したときには、システム制御部１８は、さらに、ＯＰＴ記録方式を用いるＤＶＤか否かを判別する（ステップＳ１２３）。そして、ステップＳ１２３の判別処理において、ＯＰＴ記録方式を用いるものではないと判別したときには、例えば、図１０Ｃに示したように、アフレコ対応記録されている２層のＤＶＤであることを示す図形表示を行うように切り換える（ステップＳ１２４）。
【０２２０】
また、ステップＳ１２３の判別処理において、ＯＰＴ記録方式を用いるものであると判別したときには、例えば、図１０Ｂに示したように、順次記録されている２層のＤＶＤであることを示す図形表示を行うように切り換える（ステップＳ１２５）。そして、ステップＳ１２２、ステップＳ１２４、ステップＳ１２５の処理の後、この図１６に示す処理を終了する。
【０２２１】
図１７は、図１１に示した処理のステップＳ３において行われる（５）片面ＤＶＤ／両面ＤＶＤの切り換え処理、（６）使用面がＡ面かＢ面かの切り換え処理を説明するための図である。情報処理部１のシステム制御部１８は、まず、図１３に示したディスク種別判別テーブルを用いて説明したように、図１２に示したステップＳ２４の判別処理の結果得られる結果６が示す情報に基づいて、装填されたＤＶＤは、両面記録ＤＶＤか否かを判別する（ステップＳ１３１）。
【０２２２】
ステップＳ１３１の判別処理において、両面記録ＤＶＤではないと判別したときには、ビデオ／オーディオＩ／Ｆ部１３を制御して、記録媒体情報通知エリアに片面記録ＤＶＤであることを示す図形を用いて、記録媒体に関する情報を表示するように切り換える（ステップＳ１３２）。
【０２２３】
また、ステップＳ１３１の判別処理において、両面記録ＤＶＤであると判別したときには、システム制御部１８は、さらに、現在の使用するようにされているＤＶＤの面はＡ面か否かを判別する（ステップＳ１３３）。
【０２２４】
ステップＳ１３３の判別処理において、使用面はＡ面ではないと判別したときには、例えば、使用面がＢ面であることを通知するために、Ｂ面についての表示を強調するように切り換える（ステップＳ１２４）。このＢ面についての表示は、例えば、図１０Ｄにおいては、（ｂ）が示すＢ面についての表示である。
【０２２５】
また、ステップＳ１３３の判別処理において、使用面がＡ面であると判別したときには、Ａ面についての表示を強調するように切り換える（ステップＳ１２５）。このＡ面についての表示は、例えば、図１０Ｄにおいては、（ａ）が示すＡ面についての表示である。そして、ステップＳ１３２、ステップＳ１３４、ステップＳ１３５の処理の後、この図１７に示す処理を終了する。
【０２２６】
図１８は、図１１に示した処理のステップＳ３において行われる（７）選択ファイルシステムの切り換え処理、（８）ファイナライズ処理の有無の切り換え処理を説明するための図である。この図１８に示す処理は、図１４から図１７に示した処理を受けて行われる処理であり、図１４〜図１７の各処理で切り換えられた状態に基づいて最終的な表示処理を行う。
【０２２７】
そして、この場合、情報処理部１のシステム制御部１８は、プログラムメモリー１９上にロードされるＤＶＤドライブ２のアクセスプログラムによって、上述もしたように、リードインエリアの外周側に隣接して設けられルファイルシステム情報を読み取り、この読み取った情報に基づいて、使用されている記録フォーマットは、ＤＶＤビデオフォーマットかＤＶＤビデオレコーディングフォーマットかを判別するとともに、ＡＰＩ（Ａｐｐｌｉｃａｔｉｏｎ  Ｐｒｏｇｒａｍ  Ｉｎｔｅｒｆａｃｅ）を介して記録済みのデータ容量、全データ容量の情報データを読み取って、これを保持するようにする（ステップＳ１４１）。
【０２２８】
そして、情報処理部１のシステム制御部１８は、装填されたＤＶＤではＤＶＤビデオフォーマットが用いられているか否かを判断し（ステップＳ１４２）、ＤＶＤビデオフォーマットが用いられていると判断したときには、ファイナライズ書ルの有無に応じて、ファイナライズ済表示、あるいは、未ファイナライズ表示を行う（ステップＳ１４３）。
【０２２９】
ステップＳ１４２の判断処理において、装填されたＤＶＤではＤＶＤビデオフォーマットが用いられていないと判断した場合、および、ステップＳ１４３の処理の後において、空き容量を把握するとともに、全容量に対する空き容量を計算し、図１４〜図１７の処理によって切り換えられた状態にしたがい、例えば、図９、図１０に示した態様で図形表示等を行って（ステップＳ１４４）、この図１８に示す処理を終了する。
【０２３０】
このように、図１４〜図１８を用いて説明した処理を、図１１に示したステップＳ３において、情報処理部１のシステム制御部１８において行うことによって、この実施の形態のＤＶＤデジタルビデオカメラに装填されたＤＶＤに関する種々の情報をカラーＬＣＤ１２を通じて通知することができるようにされる。
【０２３１】
そして、図１１に示した処理のステップＳ２の処理（ＤＶＤドライブ２側における判別処理タスク）とステップＳ３の処理（情報処理部１側における図形表示処理タスク）とを図１９に示すようにまとめることができる。
【０２３２】
まず、ＤＶＤドライブ２側において、ディスク挿入検出処理が行われ（ステップＳ２０１）、これを受けて、情報処理部１においては、ディスク判別待ち図形表示を行うようにする（ステップＳ３０１）。これは、ＤＶＤの場合、ドライブに挿入されローディングされて、そのＤＶＤについての種々の情報を認識するためにかかる認識時間は、数秒から１０数秒と比較的に長い時間となるからである。
【０２３３】
そして、ＤＶＤドライブ２において、ディスク種類判別処理が行われ（ステップＳ２０２）、上述もしたように、装填されたＤＶＤの論理セクタ番号＝０００００以前のエリアから読み出された情報に基づいて、装填されたＤＶＤについての種々の情報を取得する（ステップＳ２０２）。
【０２３４】
ステップＳ２０２の処理を受けて、情報処理部１においてのカラーＬＣＤ１２への情報の表示態様の切り換え処理を行うようにするためのオブジェクトデータを形成するようにし（ステップＳ２０２）、ステップＳ２０２の処理を受けて、情報処理部１においての表示態様の切り換えのためのオブジェクトデータを情報処理部１に渡すようにする（ステップＳ２０３）。
【０２３５】
情報処理部１においては、ＤＶＤドライブからのオブジェクトデータに基づいて、カラーＬＣＤ１２へのＤＶＤに関する種々の情報の表示態様を実際に切り換えて、ＤＶＤに関する種々の情報をカラーＬＣＤ１２に表示するようにする（ステップＳ３０２）。
【０２３６】
そして、情報処理部１のシステム制御部１８が圧縮／伸張信号処理部１４のデータを、ドライブ制御部１６を介してＤＶＤドライブ２に供給するようにし、ＤＶＤドライブ２に装填されたＤＶＤに記録するようにする（ステップＳ２０４）。
【０２３７】
ファイルシステムはＤＶＤ光ファイルシステムであるので、ＤＶＤディスクメディア上の１ＥＣＣデータ集合３２ｋバイトが２５６個集まったデータ集合、１Ｃｅｌｌ単位で逐次書き込み信号が処理されて書き込まれてゆく。Ｃｅｌｌ単位記録した記録データが全体容量に対する所定％容量の閾値を越えるたびに順次、使用割合情報データを更新する（ステップＳ２０４）。
【０２３８】
これを受けて、情報処理部１のシステム制御部１８は、カラーＬＣＤ１２に表示される容量表示を行う表示であって、図９、図１０に示した容量表示の記録済容量表示、空き容量表示を更新するようにする（ステップＳ３０３）。
【０２３９】
以上のステップＳ２０１→ステップＳ３０１、ステップＳ２０３→ステップＳ３０２、ステップＳ２０４→ステップＳ３０３への各ビットパターンは、メディア種類判別処理タスクから図形表示タスクへのタスク間通信のビットパターンでメッセージ通信されてよい。
【０２４０】
このように、この実施の形態のＤＶＤデジタルビデオカメラにおいては、情報処理部１とＤＶＤドライブ２とか協働して、用いるＤＶＤに関する種々の情報、すなわち、用いるＤＶＤについての種類、サイズ、記憶容量、単層記録ＤＶＤか２層記録ＤＶＤか、２層記録ＤＶＤである場合には、記録方式がＯＰＴ方式かＰＴＰ方式か、また、片面記録ＤＶＤか両面記録ＤＶＤか、両面記録ＤＶＤである場合には、使用しているのはＡ面かＢ面かの別（使用面の別）、さらに赤色レーザー用か青色レーザー用かについても判別し、これをユーザに対して視認性よく通知することができるようにされる。
【０２４１】
なお、上述した実施の形態においては、ＤＶＤ−ＲＯＭか、ＤＶＤ−Ｒか、ＲＶＤ−ＲＷについての表示、および、ＤＶＤの外観サイズなどについては、直接的表示して通知することはしなかったが、これらについても正確に判別することができるので、これを文字、図形、記号などを用いて通知できることは言うまでもない。
【０２４２】
例えば、将来、提供が予想される小径のディスクを用いることができるようにＤＶＤドライブ２が構成されている場合に、図１１に示したステップＳ２の処理の中に、ＲＥＡＤ  ＤＶＤ  ＳＴＲＵＣＴＵＲＥ  Ｄａｔａ  Ｆｏｒｍａｔ（ｆｏｒｍａｔ  フィールド  ００ｈ）の応答のバイト１（第２バイト）の上位４ビットでディスクサイズが定義されるので、ドライブ制御部１６を介してシステム制御部１８が応答データを取得し、これを用いてディスクサイズの判別を行う。
【０２４３】
そして、図１１に示したステップＳ３の処理において、ディスクサイズの表示を切り換えるようにし、小径ディスクであることを示す小型の図形、あるいはより直接的に小型を示す文字表示、例えば、「Ｓ」、「Ｍｉｎ」、「数ｃｍ」などの表示、あるいは、図形や記号などを用いて通知することができる。
【０２４４】
また、上述した実施の形態においては、ＤＶＤデジタルビデオカメラの場合を例にして説明したが、これに限るものではない。ＤＶＤやＣＤ等の種々の光ディスクを記録媒体として用いる種々の記録機器や記録再生機器に適用することができる。
【０２４５】
特に、光ディスクの形状が、１２センチタイプ、８センチタイプ、さらに小さいタイプなど、記憶容量の異なる複数の光ディスクを用いることが可能な、記録装置や記録再生装置にこの発明を適用した場合には、赤色レーザー用の光ディスクか青色レーザー用の光ディスクかの判別情報の他、空き容量やその他の情報についても明確に通知することができるので、空き容量の認識間違いを発生させることもない。
【０２４６】
また、上述の実施の形態においては、波長が６５０ｎｍの赤色レーザー光を用い、波長が４０５ｎｍの青色レーザー光を用いた場合を例にして説明したが、これに限るものではない。例えば、いわゆる赤色レーザー光に分類されるようなレーザー光であっても、波長が６５０ｎｍよりも長い波長のレーザー光を用いてもよいし、青色レーザー光に分類されるようなレーザー光であっても、波長が４０５ｎｍより短い波長のレーザー光を用いるようにしてもよい。
【０２４７】
このような場合であっても、レーザー光源の波長の属する波長域の表示色で、光ディスクごとに、データの書き込みや読み出しを行うレーザー光の違いを行うようにすればよい。具体的には、例えば、将来的に利用可能になる波長が４００ｎｍ以下の青紫色レーザー光を用いてデータの書き込み／読み出しが行われる光ディスクの場合には、波長が３８０ｎｍ〜５００ｎｍの帯域の色表示でディスク種別や空き容量を通知するようにすればよい。
【０２４８】
また、例えば、中波長域のレーザー光を用いる場合も同様であり、中波長域のレーザー光が用いられて、データの書き込み／読み出しが行われる光ディスクの場合には、波長が５００ｎｍ〜６００ｎｍの波長の色表示でディスク種別や空き容量を通知するようにすればよい。
【０２４９】
【発明の効果】
以上説明したように、この発明によれば、用いる光記録媒体に関する種々の情報を取得し、これをユーザに対して認識しやすい態様で提供することができる。また、用いる光記録媒体の空き容量、ファイナライズ処理の有無などの光記録媒体に関する情報をユーザに対して認識しやすい態様で、明確にユーザに通知することができる。
【図面の簡単な説明】
【図１】この発明による装置、方法の一実施の形態が適用されたＤＶＤデジタルビデオカメラを説明するためのブロック図である。
【図２】図１に示したＤＶＤデジタルビデオカメラのＤＶＤドライブを説明するためのブロック図である。
【図３】ＤＶＤ一般の物理フォーマットを説明するための図である。
【図４】ＤＶＤ−ＲＯＭの物理フォーマットを説明するための図である。
【図５】ＤＶＤ−Ｒの物理フォーマットを説明するための図である
【図６】ＤＶＤ−ＲにＤＶＤビデオフォーマットでデータを記録する場合について説明するための図である。
【図７】ＤＶＤ−ＲＷのリードインエリア部分のフォーマットを説明するための図である。
【図８】バーストカッティング領域を有するＤＶＤについて説明するための図である。
【図９】ディスクの種別、空き容量、ファイナライズ有無を通知する表示の一例を説明するための図である。
【図１０】ディスクの種別、空き容量、ファイナライズ有無を通知する表示の他の例を説明するための図である。
【図１１】図１に示したＤＶＤデジタルビデオカメラにおいて行なわれる媒体情報の通知処理を説明するためのフローチャートである。
【図１２】図１１に示した処理のステップＳ２において行われる処理を説明するためのフローチャートである。
【図１３】ディスク種別判別テーブルについて説明するための図である。
【図１４】図１１のステップＳ３において行われる処理の１つを説明するための図である。
【図１５】図１１のステップＳ３において行われる処理の１つを説明するための図である。
【図１６】図１１のステップＳ３において行われる処理の１つを説明するための図である。
【図１７】図１１のステップＳ３において行われる処理の１つを説明するための図である。
【図１８】図１１のステップＳ３において行われる処理の１つを説明するための図である。
【図１９】ＤＶＤドライブ２側における判別処理タスクと情報処理部１側における図形表示処理タスクについて説明するためのフローチャートである。
【符号の説明】
１…情報処理部、１０…システムコントロールバス、１１…カメラ部、１２…ＬＣＤ、１３…ビデオ／オーディオＩ／Ｆ部、１３Ｍ…スクリーンメモリー、１４…圧縮／伸張信号処理部、１４Ｍ…圧縮／伸張メモリー、１５…データ制御部、１５Ｍ…データメモリー、１６…ドライブ制御部、１７…外部機器Ｉ／Ｆ、１８…システム制御部、１９…プログラムメモリー、２０…ユーザＩ／Ｆ部、２…ＤＶＤドライブ、２１…ファームウエア制御部、２２…ホストＩ／Ｆ部、２３…パケットデバイス情報部、２４…メモリー制御部、２５…ドライブキャッシュメモリー、２６…書き込み／読出し部、２７…光ヘッド部、２８…ディスク検出部、３０…ＤＶＤ
【図１】
2004273037.tif 000003
【図２】
2004273037.tif 000004
【図３】
2004273037.tif 000005
【図４】
2004273037.tif 000006
【図５】
2004273037.tif 000007
【図６】
2004273037.tif 000008
【図７】
2004273037.tif 000009
【図８】
2004273037.tif 000010
【図９】
2004273037.tif 000011
【図１０】
2004273037.tif 000012
【図１１】
2004273037.tif 000013
【図１２】
2004273037.tif 000014
【図１３】
2004273037.tif 000015
【図１４】
2004273037.tif 000016
【図１５】
2004273037.tif 000017
【図１６】
2004273037.tif 000018
【図１７】
2004273037.tif 000019
【図１８】
2004273037.tif 000020
【図１９】
2004273037.tif 000021